(57)【要約】【課題】通信経路切り換え時の設定を容易にする。【解決手段】ディスプレイ部２は、通信経路（ａ）を用いた通信の確立のために取得した、チューナー部１のＭＡＣアドレスを用いて生成したペアリングＩＤによって、ＬＡＮ上でチューナー部１を検出するディスプレイ側経路切換部５０と、検出したチューナー部１と通信経路（ｃ）で通信接続するディスプレイ側接続処理部５２とを備えている。【選択図】図１
2013062786.tif 000002
【特許請求の範囲】
【請求項１】
第１通信経路と第２通信経路との何れかで相手装置と通信する通信装置であって、
上記第２通信経路を介した通信への切り換えを行うときに、上記第１通信経路を用いた通信の確立のために取得した、上記相手装置を特定する相手装置特定情報を用いて上記相手装置を検出する機器検出手段と、
上記機器検出手段が検出した上記相手装置と、上記第２通信経路で通信接続する通信接続手段とを備えていることを特徴とする通信装置。
【請求項２】
上記第１通信経路は、無線通信による通信経路であり、
上記相手装置特定情報は、上記相手装置と無線通信を行うためのペアリング時に取得した情報であることを特徴とする請求項１に記載の通信装置。
【請求項３】
上記通信接続手段は、上記機器検出手段が検出した上記相手装置から、該相手装置が上記ペアリング時に取得した情報、または該情報を元に生成した情報を受信したことが確認された場合に、当該相手装置と上記第２通信経路で通信接続することを特徴とする請求項２に記載の通信装置。
【請求項４】
上記第２通信経路は、通信ネットワークを介する通信経路であり、
上記機器検出手段は、上記相手装置特定情報、または該相手装置特定情報を元に生成した情報を含む応答要求を上記通信ネットワーク内の機器にブロードキャスト送信することによって、上記相手装置を検出することを特徴とする請求項１から３の何れか１項に記載の通信装置。
【請求項５】
上記第１通信経路は、上記相手装置と直接に通信する通信経路であり、
上記第１通信経路を介して上記相手装置と通信接続されている状態において、上記相手装置から、該相手装置の処理の負荷が高いことを示す情報を受信したときに、上記第２通信経路への切り換えを行う経路切換手段を備えていることを特徴とする請求項１から４の何れか１項に記載の通信装置。
【請求項６】
請求項１から５の何れか１項に記載の通信装置と、
該通信装置と、上記第１通信経路と上記第２通信経路との何れかで通信する相手装置とを含むことを特徴とする通信システム。
【請求項７】
上記通信装置は、上記相手装置の通信経路を上記第１通信経路から上記第２通信経路に切り換えさせる相手装置制御手段を備え、
上記相手装置は、上記相手装置制御手段から、上記第２通信経路への切り換え命令を受信したときに、上記第２通信経路で上記通信装置と通信可能か判断する通信可否判断手段と、該通信可否判断手段が通信可能と判断した場合に上記第２通信経路への切り換えを行う相手装置側経路切換手段とを備えていることを特徴とする請求項６に記載の通信システム。
【請求項８】
第１通信経路と第２通信経路との何れかで相手装置と通信する通信装置による通信方法であって、
上記第２通信経路を介した通信への切り換えを行うときに、上記第１通信経路を用いた通信の確立のために取得した、上記相手装置を特定する相手装置特定情報を用いて上記相手装置を検出する機器検出ステップと、
上記機器検出ステップで検出した上記相手装置と、上記第２通信経路で通信接続する通信接続ステップとを含むことを特徴とする通信方法。
【請求項９】
請求項１から５の何れか１項に記載の通信装置を動作させるための制御プログラムであって、コンピュータを上記各手段として機能させるための制御プログラム。
【請求項１０】
請求項７に記載の相手装置を動作させるための制御プログラムであって、コンピュータを上記通信可否判断手段および上記相手装置側経路切換手段として機能させるための制御プログラム。
【請求項１１】
請求項９または１０に記載の制御プログラムを記録したコンピュータ読み取り可能な記録媒体。
【請求項１２】
放送波を映像信号に変換するチューナー部と、第１通信経路と第２通信経路との何れかで、上記チューナー部と通信し、上記映像信号に基づいて表示を行うディスプレイ部とを含むテレビジョン受像システムであって、
上記ディスプレイ部は、上記第２通信経路を介した通信への切り換えを行うときに、上記第１通信経路を用いた通信の確立のために取得した、上記チューナー部を特定する相手装置特定情報を用いて上記チューナー部を検出する機器検出手段と、上記機器検出手段が検出した上記チューナー部と、上記第２通信経路で通信接続する通信接続手段とを備えていることを特徴とするテレビジョン受像システム。
【発明の詳細な説明】
【技術分野】
【０００１】
本発明は、複数の通信経路で通信する通信装置に関し、より詳細には該通信装置の通信経路切り換え時の設定を容易にする技術に関する。
【背景技術】
【０００２】
近年、家庭で使用する様々な電子機器を無線または有線で接続するという使用態様が広まっている。電子機器を通信接続することによって、電子機器間で情報や制御のやり取りが可能になり、従来にはなかった使用態様が実現される。
【０００３】
例えば、ディスプレイとチューナーとを無線接続することによって、チューナーとの通信圏内においてディスプレイを自由に移動できるテレビジョン受像システムを構築することができる。
【０００４】
また、このシステムでは、チューナーをＬＡＮに接続し、ＬＡＮ経由でディスプレイとチューナーを通信接続することも可能である。これにより、ＬＡＮに接続された他の機器からの映像等を、チューナーの制御の下、ＬＡＮ経由でディスプレイに送信して表示させることもできる。例えば、ＬＡＮに接続したブロードバンドルーターによって、上記ディスプレイでインターネットを利用することもできる。
【０００５】
ここで、電子機器を通信接続する場合には、通信接続のための設定を行う必要がある。そして、この設定は、通信経路が異なれば当然に異なるものとなる。このため、上記の例では、無線通信からＬＡＮ経由通信への切り換え時には、ＬＡＮに接続されている機器の中から上記チューナーを特定し、接続先として指定するという設定が必要となる。このような設定は、多くのユーザにとって煩わしく、多大な困難を伴うこともある。
【０００６】
このため、通信機能を備えた電子機器においては、通信接続設定をいかに容易にするかが、大きな課題の１つとなっている。通信接続設定を容易にする技術としては、例えば、下記の特許文献１が挙げられる。
【０００７】
具体的には、下記特許文献１には、アクセスポイント装置とクライアント装置にそれぞれ記録された共通の設定情報生成キーを用いて、クライアント装置がアクセスポイント装置を特定することが記載されている。この構成によれば、接続すべきアクセスポイント装置の指定という処理からユーザを解放し、通信接続設定を容易にすることができる。
【先行技術文献】
【特許文献】
【０００８】
【特許文献１】特開２００８−１１３１３３号公報（２００８年５月１５日公開）
【発明の概要】
【発明が解決しようとする課題】
【０００９】
しかしながら、上述のような従来技術では、通信経路の切り換えは全く想定されておらず、通信経路の切り換え時に適用することは困難である。通信経路を切り換えたときには、クライアント装置の接続先が同じアクセスポイント装置となるとは限らないからである。
【００１０】
本発明は、上記の問題点に鑑みてなされたものであり、その目的は、通信経路切り換え
時の設定が容易な通信装置等を提供することにある。
【課題を解決するための手段】
【００１１】
上記の課題を解決するために、本発明の通信装置は、第１通信経路と第２通信経路との何れかで相手装置と通信する通信装置であって、上記第２通信経路を介した通信への切り換えを行うときに、上記第１通信経路を用いた通信の確立のために取得した、上記相手装置を特定する相手装置特定情報を用いて上記相手装置を検出する機器検出手段と、上記機器検出手段が検出した上記相手装置と、上記第２通信経路で通信接続する通信接続手段とを備えていることを特徴としている。
【００１２】
また、本発明の通信方法は、上記の課題を解決するために、第１通信経路と第２通信経路との何れかで相手装置と通信する通信装置による通信方法であって、上記第２通信経路を介した通信への切り換えを行うときに、上記第１通信経路を用いた通信の確立のために取得した、上記相手装置を特定する相手装置特定情報を用いて上記相手装置を検出する機器検出ステップと、上記機器検出ステップで検出した上記相手装置と、上記第２通信経路で通信接続する通信接続ステップとを含むことを特徴としている。
【００１３】
そして、本発明のテレビジョン受像システムは、上記の課題を解決するために、放送波を映像信号に変換するチューナー部と、第１通信経路と第２通信経路との何れかで、上記チューナー部と通信し、上記映像信号に基づいて表示を行うディスプレイ部とを含むテレビジョン受像システムであって、上記ディスプレイ部は、上記第２通信経路を介した通信への切り換えを行うときに、上記第１通信経路を用いた通信の確立のために取得した、上記チューナー部を特定する相手装置特定情報を用いて上記チューナー部を検出する機器検出手段と、上記機器検出手段が検出した上記チューナー部と、上記第２通信経路で通信接続する通信接続手段とを備えていることを特徴としている。
【００１４】
ここで、上記通信装置（ディスプレイ部）は、第１通信経路と第２通信経路の何れかで上記相手装置（チューナー部）と通信可能であるから、第２通信経路への切り換えを実行するよりも前の時点において、第１通信経路を介して相手装置と通信可能な状態となっている。つまり、上記相手装置は、第２通信経路への切り換えを実行するよりも前の時点において、既に通信相手として特定されている。
【００１５】
そこで、上記の構成によれば、第１通信経路を用いた通信の確立のために取得した相手装置特定情報を用いて相手装置を検出し、検出した相手装置と第２通信経路で通信接続する。
【００１６】
したがって、上記の構成によれば、第１通信経路で通信可能であった相手装置を検出し、この相手装置と第２通信経路で通信接続する処理が自動化される。よって、ユーザは、何らの操作を行うことなく、極めて容易に通信経路切り換え時の設定を行うことができる。
【００１７】
なお、上記通信装置と上記相手装置は、第１通信経路と第２通信経路との何れかで通信するものであればよく、ディスプレイ部とチューナ部に限られない。例えば、動画像や静止画像を撮影するカメラ、およびカメラが撮影した画像を出力または記録する機器の何れかを上記通信装置とし、他方を上記相手装置として本発明を適用することができる。また、例えば、動画像や静止画像等のコンテンツを記録した記録装置、および記録装置が記録したコンテンツを出力する機器の何れかを上記通信装置とし、他方を上記相手装置として本発明を適用することもできる。
【００１８】
また、上記第１通信経路は、無線通信による通信経路であり、上記相手装置特定情報は
、上記相手装置と無線通信を行うためのペアリング時に取得した情報であることが好ましい。
【００１９】
無線通信を行うためにはペアリングを行う必要があり、ペアリングの際には無線通信相手を特定する情報を取得するので、これを上記相手装置特定情報として利用することができる。つまり、上記の構成によれば、ペアリングによって必然的に取得している情報を利用して、第２通信経路で通信接続する処理を自動化することができる。
【００２０】
また、上記通信接続手段は、上記機器検出手段が検出した上記相手装置から、該相手装置が上記ペアリング時に取得した情報、または該情報を元に生成した情報を受信したことが確認された場合に、当該相手装置と上記第２通信経路で通信接続することが好ましい。
【００２１】
上記の構成によれば、機器検出手段が検出した相手装置と無条件に通信接続するのではなく、相手装置がペアリング時に取得した情報、または該情報を元に生成した情報を受信したことが確認された場合に通信接続する。そして、相手装置がペアリング時に取得した情報、または該情報を元に生成した情報は、この相手装置の正当性を示すものである。つまり、上記の構成によれば、相手装置になりすました他の機器と接続してしまうことを防ぐことができる。
【００２２】
また、上記第２通信経路は、通信ネットワークを介する通信経路であり、上記機器検出手段は、上記相手装置特定情報、または該相手装置特定情報を元に生成した情報を含む応答要求を上記通信ネットワーク内の機器にブロードキャスト送信することによって、上記相手装置を検出することが好ましい。
【００２３】
上記の構成によれば、応答要求を通信ネットワーク内の機器にブロードキャスト送信するので、この通信ネットワーク内の機器である上記相手装置も、この応答要求を受信する。また、この応答要求には、相手装置特定情報、または該相手装置特定情報を元に生成した情報が含まれているので、相手装置は、この情報を参照することにより、当該応答要求が自装置宛であることを特定し、これに応答する。つまり、上記機器検出手段は、この応答を受信することによって、上記相手装置を検出することができる。
【００２４】
また、上記通信装置は、この応答の送信元を確認することによって、第２通信経路を使用して相手装置と通信するためのアドレスを特定することもできる。そして、上記相手装置は、上記応答要求の送信元を確認することによって、第２通信経路を使用して通信装置と通信するためのアドレスを特定することもできる。つまり、上記の構成によれば、第２通信経路を用いた通信接続の設定まで行うことが可能になる。
【００２５】
また、上記第１通信経路は、上記相手装置と直接に通信する通信経路であり、上記第１通信経路を介して上記相手装置と通信接続されている状態において、上記相手装置から、該相手装置の処理の負荷が高いことを示す高負荷情報を受信したときに、上記第２通信経路への切り換えを行う経路切換手段を備えていることが好ましい。
【００２６】
上記の構成によれば、相手装置と直接に通信する第１通信経路を介して相手装置と通信接続されている状態において、相手装置から高負荷情報を受信したときに、第２通信経路への切り換えを行う。これにより、相手装置は、通信装置と直接通信する状態から開放されるので、処理の負荷が軽減される。つまり、上記の構成によれば、相手装置が高負荷となったときに、その負荷を軽減することができる。
【００２７】
また、上記通信装置と、該通信装置と、上記第１通信経路と上記第２通信経路との何れかで通信する相手装置とを含む通信システムであれば、上記通信装置と同様の効果を奏す
る。
【００２８】
また、上記通信装置は、上記相手装置の通信経路を上記第１通信経路から上記第２通信経路に切り換えさせる相手装置制御手段を備え、上記相手装置は、上記相手装置制御手段から、上記第２通信経路への切り換え命令を受信したときに、上記第２通信経路で上記通信装置と通信可能か判断する通信可否判断手段と、該通信可否判断手段が通信可能と判断した場合に上記第２通信経路への切り換えを行う相手装置側経路切換手段とを備えていることが好ましい。
【００２９】
上記の構成によれば、通信装置は、相手装置の通信経路を第１通信経路から第２通信経路に切り換えさせる命令を送信する。そして、相手装置は、この切り換え命令を受信したときに、第２通信経路で通信装置と通信可能か判断し、通信可能と判断した場合に第２通信経路への切り換えを行う。したがって、第２通信経路で通信不能な場合に第２通信経路への切り換えを行ってしまうことを防ぐことができる。
【００３０】
なお、上記通信装置および上記相手装置は、コンピュータによって実現してもよく、この場合には、コンピュータを上記通信装置の各手段として動作させることにより、上記通信装置をコンピュータにて実現させる制御プログラム、コンピュータを上記相手装置の通信可否判断手段および相手装置側経路切換手段として機能させるための制御プログラム、及びこれらを記録したコンピュータ読み取り可能な記録媒体も本発明の範疇に入る。
【発明の効果】
【００３１】
以上のように、本発明の通信装置は、第２通信経路を介した通信への切り換えを行うときに、第１通信経路を用いた通信の確立のために取得した、相手装置を特定する相手装置特定情報を用いて上記相手装置を検出する機器検出手段と、上記機器検出手段が検出した上記相手装置と、上記第２通信経路で通信接続する通信接続手段とを備えている構成である。
【００３２】
また、本発明の通信方法は、第２通信経路を介した通信への切り換えを行うときに、第１通信経路を用いた通信の確立のために取得した、相手装置を特定する相手装置特定情報を用いて上記相手装置を検出する機器検出ステップと、上記機器検出ステップで検出した上記相手装置と、上記第２通信経路で通信接続する通信接続ステップとを含む構成である。
【００３３】
また、本発明のテレビジョン受像システムは、ディスプレイ部は、第２通信経路を介した通信への切り換えを行うときに、第１通信経路を用いた通信の確立のために取得した、チューナー部を特定する相手装置特定情報を用いて上記チューナー部を検出する機器検出手段と、上記機器検出手段が検出した上記チューナー部と、上記第２通信経路で通信接続する通信接続手段とを備えている構成である。
【００３４】
したがって、第１通信経路で通信可能であった相手装置を検出し、この相手装置と第２通信経路で通信接続する処理が自動化される。よって、ユーザは、何らの操作を行うことなく、極めて容易に通信経路切り換え時の設定を行うことができる。
【図面の簡単な説明】
【００３５】
【図１】本発明の一実施形態にかかる映像表示システム（通信システム）の要部構成を示すブロック図である。
【図２】上記映像表示システムにおける、接続タイプ毎の映像伝送経路を示す図である。
【図３】上記映像表示システムにおける接続タイプの切換手順の一例を示すフローチャートであり、同図（ａ）は自動切換の切換手順を示し、同図（ｂ）は手動切換の切換手順を示している。
【図４】上記映像表示システムに含まれるチューナー部と、その入力部および情報提示部の外観の一例を示す図である。
【図５】上記映像表示システムにおけるＵＩ画面の構成例を示す図である。
【図６】上記映像表示システムの「リンク設定」におけるチューナー部およびディスプレイ部の処理の一例を示すフローチャートである。
【図７】図６の処理の際に表示される画面例を示す図である。
【図８】接続タイプをチューナー無線接続に切り換える際の、チューナー部およびディスプレイ部の処理の一例を示すフローチャートである。
【図９】図８の処理の際に表示される画面例を示す図である。
【図１０】接続タイプを無線アクセスポイント接続に切り換える際の、チューナー部およびディスプレイ部の処理の一例を示すフローチャートである。
【図１１】図１０の処理の際に表示される画面例を示す図である。
【図１２】図１０の処理の際に表示される他の画面例を示す図である。
【図１３】図１０の処理の際に表示されるさらに他の画面例を示す図である。
【図１４】接続タイプをＬＡＮケーブル接続に切り換える際の、チューナー部およびディスプレイ部の処理の一例を示すフローチャートである。
【図１５】図１４の処理の際に表示される画面例を示す図である。
【図１６】チューナー部およびディスプレイ部が実行する接続切換処理の一例を示すフローチャートである。
【図１７】上記接続切換処理の一例を示すタイミングチャートである。
【図１８】上記接続切換処理の要点を説明する図である。
【図１９】上記ディスプレイ部から接続タイプの切り換え指示を受信したチューナー部が実行する処理の一例を示すフローチャートである。
【図２０】上記映像表示システムの判断による接続タイプの切り換えを説明する図であり、同図（ａ）は切り換え前の状態を示し、同図（ｂ）は切り換え後の状態を示している。
【図２１】上記ディスプレイ部とチューナー部のＩＰアドレスなどのネットワークパラメータを設定するＩＰｖ４設定時に表示される画面例を示す図である。
【図２２】ＵＩ画面における、画面表示設定の位置づけを示す図である。
【図２３】無線アクセスポイント接続時における物理的接続切れの警告メッセージ表示処理の一例を示すフローチャートである。
【図２４】ＬＡＮケーブル接続時における物理的接続切れの警告メッセージ表示処理の一例を示すフローチャートである。
【図２５】チューナー部１との接続切れに関するメッセージ表示処理の一例を示すフローチャートである。
【図２６】干渉発生に関するメッセージ表示処理の一例を示すフローチャートである。
【図２７】スループット低下に関するメッセージ表示処理の一例を示すフローチャートである。
【図２８】無線通信の受信強度低下に関するメッセージ表示処理の一例を示すフローチャートである。
【図２９】レーダー波検出に関するメッセージ表示処理の一例を示すフローチャートである。
【図３０】メッセージの表示可否を決定するテーブルの一例を示す図である。
【図３１】上記ディスプレイ部に表示されるメッセージの一例を示す図である。
【図３２】本発明を適用した監視システムおよび他の映像表示システムの概要を説明する図である。
【発明を実施するための形態】
【００３６】
以下、本発明の実施の形態について、図１〜図３１に基づいて詳細に説明する。
【００３７】
〔システムの構成〕
まず、本実施形態にかかる映像表示システムの構成を図１に基づいて説明する。図１は、映像表示システム（通信システム、テレビジョン受像システム）１００の要部構成を示すブロック図である。図示のように、映像表示システム１００は、チューナー部（相手装置）１、ディスプレイ部（通信装置）２、ルーター３、および無線アクセスポイント４を含む構成である。
【００３８】
映像表示システム１００は、チューナー部１が放送波を受信して生成した映像信号を、ディスプレイ部２に送信して表示させるシステムである。この映像表示システム１００では、チューナー部１とディスプレイ部２の通信経路が３通り想定されており、これらの通信経路を切り換えて使用することができる。
【００３９】
１つ目の通信経路は、チューナー部１とディスプレイ部２が直接無線接続する通信経路である（同図の（ａ）：第１通信経路）。この通信経路を用いる接続タイプをチューナー無線接続と呼ぶ。
【００４０】
２つ目の通信経路は、家庭内のＬＡＮ（通信ネットワーク）に接続しているチューナー部１に対して、ＬＡＮ経由でディスプレイ部２が接続する通信経路であり、ディスプレイ部２とＬＡＮの接続が無線アクセスポイントを介した無線接続である（同図の（ｂ））。この通信経路を用いる接続タイプを無線アクセスポイント接続と呼ぶ。
【００４１】
３つ目の通信経路は、上記無線アクセスポイント接続と同様に、上記ＬＡＮに接続しているチューナー部１に対して、ＬＡＮ経由でディスプレイ部２が接続する通信経路である。ただし、ディスプレイ部２とＬＡＮの接続は、ＬＡＮケーブルおよびルーター３を介した有線接続である（同図の（ｃ）：第２通信経路）。この通信経路を用いる接続タイプをＬＡＮケーブル接続と呼ぶ。
【００４２】
チューナー部１は、放送波を受信して、これに基づく映像信号を生成し、ディスプレイ部２に出力して表示させる。このため、同図には示していないが、チューナー部１には放送波を受信するアンテナに接続されている。チューナー部１が受信する放送波は特に限定されないが、ここでは地上デジタル放送波を受信する例を説明する。
【００４３】
また、上記のように、映像表示システム１００では、チューナー部１とディスプレイ部２の通信経路（接続タイプ）が３通り存在する。このため、チューナー部１は、適用されている接続タイプに応じた通信経路により、ディスプレイ部２への映像信号等の送信を行う。
【００４４】
図示のように、チューナー部１は、チューナー制御部１０、チューナー記憶部１１、入力部１２、情報提示部１３、無線通信ＩＦ１４、および有線通信ＩＦ１５を備えている。
【００４５】
チューナー制御部１０は、チューナー部１の動作を統括して制御するものであり、チューナー制御部１０は、チューナー側経路切換部２０、およびチューナー側接続処理部２１を含む。なお、チューナー制御部１０は、これらの構成要素以外にも、放送波を処理するための構成や、ＬＡＮに接続されたＨＤＤに放送を録画するための構成等を含んでいるが、発明の特徴部分に関連の薄い構成については、図示および説明を省略する。
【００４６】
チューナー側経路切換部２０は、入力部１２が受け付けた入力操作に従って、無線通信
ＩＦ１４および有線通信ＩＦ１５の何れかを有効にする。また、無線通信ＩＦ１４および有線通信ＩＦ１５の何れが有効となっているかを情報提示部１３に提示する。
【００４７】
チューナー側接続処理部２１は、適用されている接続タイプに応じて、ディスプレイ部２との通信接続を確立する処理を行う。
【００４８】
チューナー記憶部１１は、チューナー部１で使用する各種データを記憶するものであり、通信設定格納部３０を含む。通信設定格納部３０には、接続タイプに応じたディスプレイ部２との通信設定が格納される。つまり、チューナー側接続処理部２１は、現在適用されている接続タイプに応じた通信設定を、通信設定格納部３０から読み出して通信接続を行う。
【００４９】
入力部１２は、ユーザの入力操作を受け付けて、その入力操作に応じた制御信号をチューナー制御部１０に出力する。例えば、上記のように無線通信ＩＦ１４および有線通信ＩＦ１５の何れを有効にするかを切り換える入力操作を受け付け、切り換えを指示する制御信号をチューナー制御部１０に出力する。この他、入力部１２は、チューナー部１の電源のＯＮ／ＯＦＦを切り換える入力操作等も受け付ける。
【００５０】
情報提示部１３は、チューナー部１の動作状態等を示す情報を提示するためのものである。具体的には、ＬＥＤランプの点灯状態（点灯／消灯／点滅／色）によって、チューナー部１の電源のＯＮ／ＯＦＦ、および無線通信ＩＦ１４が有効になっているか否か等の情報を提示する。
【００５１】
無線通信ＩＦ１４は、ディスプレイ部２と直接に無線通信するためのインターフェイスである。ここでは、Ｗｉ−Ｆｉによる無線通信を行う例を説明するが、これに限られず、任意の無線通信規格を適用可能である。
【００５２】
有線通信ＩＦ１５は、ＬＡＮ経由でディスプレイ部２と通信するためのインターフェイスである。ここでは、ルーター３とＬＡＮケーブルで接続することによって、ＬＡＮ経由でディスプレイ部２と通信するので、有線通信ＩＦ１５はＬＡＮケーブルの接続端子（以下、ＬＡＮ端子と呼ぶ）を含む。なお、チューナー部１は、ＬＡＮ経由でディスプレイ部２と通信可能に構成されていればよく、チューナー部１とＬＡＮとの接続態様はこの例に限られない。
【００５３】
ディスプレイ部２は、チューナー部１が出力する映像信号等を受信して表示する。また、ルーター３を介することによって、インターネット上の情報を表示することもできる。そして、ディスプレイ部２は、このような映像等の表示の他、チューナー部１の動作制御等も行う。
【００５４】
図示のようにディスプレイ部２は、ディスプレイ制御部４０、ディスプレイ記憶部４１、無線通信ＩＦ４２、有線通信ＩＦ４３、表示部４４、およびリモコン受光部４５を備えている。
【００５５】
ディスプレイ制御部４０は、ディスプレイ部２の動作を統括して制御するものであり、ディスプレイ側経路切換部５０、チューナー指示部（相手装置制御手段）５１、およびディスプレイ側接続処理部（機器検出手段、通信接続手段）５２を含む。なお、ディスプレイ制御部４０は、これらの構成要素以外にも、映像を表示させるための構成等を含んでいるが、発明の特徴部分に関連の薄い構成については、図示および説明を省略する。
【００５６】
ディスプレイ側経路切換部５０は、上記３つの接続タイプを切り換える制御を行う。な
お、接続タイプの切り換え制御については後に詳しく説明する。
【００５７】
チューナー指示部５１は、チューナー部１に命令を送信してチューナー部１の動作を制御する。具体的には、チューナー部１の通信経路を切り換えさせる命令や、受信チャンネル切り換えを指示する命令等を送信する。なお、同図には示していないが、チューナー指示部５１は、無線通信ＩＦ４２および有線通信ＩＦ４３のうち、ディスプレイ側経路切換部５０が有効にしているインターフェイスを介して命令等の送信を行う。
【００５８】
ディスプレイ側接続処理部５２は、チューナー部１との通信接続を確立する処理を行う。チューナー部１との通信接続態様は、接続タイプによって異なるので、通信接続を確立する処理も接続タイプに応じたものとなる。この処理の詳細は後述する。
【００５９】
ディスプレイ記憶部４１は、ディスプレイ部２で使用する各種データを記憶するものであり、通信設定格納部６０を含む。通信設定格納部６０には、接続タイプに応じたチューナー部１との通信設定が格納される。つまり、ディスプレイ側接続処理部５２は、現在適用されている接続タイプに応じた通信設定を、通信設定格納部６０から読み出して通信接続を行う。
【００６０】
無線通信ＩＦ４２は、無線通信するためのインターフェイスである。チューナー部１と直接に無線通信するとき（チューナー無線接続）、または無線アクセスポイント４を介して通信するとき（無線アクセスポイント接続）に使用される。つまり、これらの接続タイプが適用されているときには、ディスプレイ側経路切換部５０は、無線通信ＩＦ４２を有効にしている。
【００６１】
有線通信ＩＦ４３は、有線通信するためのインターフェイスであり、ＬＡＮ端子を含む。ディスプレイ部２は有線通信ＩＦ４３を介してルーター３とＬＡＮケーブルで接続されており、これによりＬＡＮとの接続が実現されている。有線通信ＩＦ４３は、ＬＡＮケーブル接続のときに使用される。つまり、この接続タイプが適用されているときには、ディスプレイ側経路切換部５０は、有線通信ＩＦ４３を有効にしている。
【００６２】
表示部４４は、ディスプレイ制御部４０の制御に従って画像を表示するものである。デジタル放送の映像や、インターネット上の情報の他、映像表示システム１００における各種設定を行う際のガイド画面等が表示される。
【００６３】
リモコン受光部４５は、映像表示システム１００を操作するリモートコントローラ（図示せず）の発信する信号を受光し、これに対応する制御信号を生成してディスプレイ制御部４０に出力する。
【００６４】
ルーター３は、映像表示システム１００における情報送信を中継する装置であり、チューナー部１と有線接続されていると共に、インターネットに接続されている。また、無線アクセスポイント４は、ルーター３と接続されており、無線アクセスポイント４に無線接続することによって、ＬＡＮに接続することができるようになっている。ルーター３としては、一般的なブロードバンドルーターを適用してもよく、無線アクセスポイント４についても一般的なものが適用できる。
【００６５】
〔接続タイプ毎の映像伝送経路〕
続いて、接続タイプ毎の映像伝送経路について、図２に基づいて説明する。図２は、映像表示システム１００における、接続タイプ毎の映像伝送経路を示す図である。なお、図２の（ａ）〜（ｃ）は、図１の（ａ）〜（ｃ）にそれぞれ対応している。
【００６６】
（チューナー無線接続）
図２（ａ）に示すチューナー無線接続では、チューナー部１とディスプレイ部２とが無線接続している。そして、チューナー部１にはルーター３が接続されており、ルーター３はインターネットに接続されている。チューナー部１では無線のＩＦ（無線通信ＩＦ１４）が有効であり、ディスプレイ部２でも無線のＩＦ（無線通信ＩＦ４２）が有効である。
【００６７】
この接続タイプでは、チューナー部１が出力する地上デジタル放送の映像信号は、無線接続によって、直接ディスプレイ部１に送信される。また、インターネット上の情報は、ルーター３からチューナー部１に送信され、無線接続によって、チューナー部１からディスプレイ部１に送信される。
【００６８】
（無線アクセスポイント接続）
図２（ｂ）に示す無線アクセスポイント接続では、無線アクセスポイント４とディスプレイ部２とが無線接続している。そして、チューナー部１にはルーター３が接続されており、ルーター３はインターネットに接続されている。チューナー部１ではＬＡＮ端子（有線通信ＩＦ１５）が有効であり、ディスプレイ部２では無線のＩＦ（無線通信ＩＦ４２）が有効である。
【００６９】
この接続タイプでは、チューナー部１が出力する地上デジタル放送の映像信号は、ルーター３に送信され、無線アクセスポイント４を介してディスプレイ部１に送信される。また、インターネット上の情報は、ルーター３から無線アクセスポイント４を介してディスプレイ部１に送信される。
【００７０】
（ＬＡＮケーブル接続）
図２（ｃ）に示すＬＡＮケーブル接続では、ディスプレイ部２とルーター３とが有線ＬＡＮで接続している。そして、チューナー部１にはルーター３が接続されており、ルーター３はインターネットに接続されている。チューナー部１ではＬＡＮ端子（有線通信ＩＦ１５）が有効であり、ディスプレイ部２でもＬＡＮ端子（有線通信ＩＦ４３）が有効である。
【００７１】
この接続タイプでは、チューナー部１が出力する地上デジタル放送の映像信号は、ルーター３に送信され、無線アクセスポイント４を介してディスプレイ部１に送信される。また、インターネット上の情報は、ルーター３からＬＡＮケーブルを介してディスプレイ部１に送信される。
【００７２】
〔接続タイプの切換手順〕
次に、映像表示システム１００における接続タイプの切換手順を図３に基づいて説明する。図３は、映像表示システム１００における接続タイプの切換手順の一例を示すフローチャートであり、同図（ａ）は自動切換の切換手順を示し、同図（ｂ）は手動切換の切換手順を示している。
【００７３】
（自動切換）
同図（ａ）に示す自動切換では、まず、ディスプレイ部１のＵＩで接続タイプを自動で切り換えるユーザ操作を受け付ける（Ｓ１）。なお、ユーザ操作はリモコン受光部４５で受け付ける。
【００７４】
自動切換を指示するユーザ操作を受け付けたディスプレイ部２は、チューナー部１に対して接続経路切り換え命令を送信する（Ｓ２）。具体的には、ディスプレイ部２のチューナー指示部５１が、リモコン受光部４５が受け付けたユーザ操作に応じた切換先接続タイプに切り換えることを指示する命令をチューナー部１に送信する。なお、チューナー部１
への命令の送信経路は、切り換え前の接続タイプに応じたものとなる。
【００７５】
次に、上記命令を受信したチューナー部１は、この命令に従って、自身の接続経路を切り換える（Ｓ３）。より詳細には、チューナー側経路切換部２０がこの切り換えを行う。また、ディスプレイ部１は、自身の接続経路を切り換える（Ｓ４）。この処理は、ディスプレイ側経路切換部５０によって行われる。
【００７６】
この後、チューナー部１とディスプレイ部との間で、切り換え後の接続経路での通信接続を確立し（Ｓ５）、接続タイプの切換処理は終了する。なお、切り換え後の接続経路での通信接続を確立する処理は、チューナー側接続処理部２１とディスプレイ側接続処理部５２とで行われる。
【００７７】
（手動切換）
同図（ｂ）に示す手動切換では、まず、ディスプレイ部１のＵＩで接続タイプを手動で切り換えるユーザ操作を受け付ける（Ｓ１０）。なお、ユーザ操作はリモコン受光部４５で受け付ける。
【００７８】
手動切換を指示するユーザ操作を受け付けたディスプレイ部２は、自身の接続経路を切り換える（Ｓ１１）。この処理は、ディスプレイ側経路切換部５０によって行われる。また、ディスプレイ側経路切換部５０は、チューナー部１の接続経路の切り換えを促すＵＩ画像を表示部４４に表示させる。
【００７９】
そして、このＵＩ画像を見たユーザは、チューナー部１に対してボタン操作（入力部１２に対する操作）を行って、チューナー部の接続経路を切り換える（Ｓ１２）。具体的には、チューナー部１のチューナー側経路切換部２０が、入力部１２に対する操作に応じた接続タイプへの切り換えを行う。なお、切り換えのためのボタン操作については後述する。
【００８０】
この後、チューナー部１とディスプレイ部との間で、切り換え後の接続経路での通信接続を確立し（Ｓ５）、接続タイプの切換処理は終了する。なお、切り換え後の接続経路での通信接続を確立する処理は、チューナー側接続処理部２１とディスプレイ側接続処理部５２とで行われる。
【００８１】
（切り換えのボタン操作）
ここで、チューナー部１の接続経路を切り換えるためのボタン操作の例について、図４に基づいて説明する。図４は、チューナー部１とその入力部１２および情報提示部１３の外観の一例を示す図である。
【００８２】
同図では、入力部１２として、電源ボタン１２ａとＬＩＮＫボタン１２ｂの２つを備え、情報提示部１３として、電源／録画予約ランプ１３ａとＷＩＲＥＬＥＳＳランプ１３ｂの２つを備えている例を示している。
【００８３】
電源ボタン１２ａは、チューナー部１の電源のＯＮ／ＯＦＦを切り換えるためのボタンであり、接続経路の切り換えにも用いられるボタンである。すなわち、ＬＩＮＫボタン１２ｂを押しながら電源ボタン１２ａを押すことによって、接続経路（有効にする通信ＩＦ）を無線／ＬＡＮ端子（有線）とで交互に切り換えるようになっている。
【００８４】
そして、ＷＩＲＥＬＥＳＳランプ１３ｂは、接続経路が無線となっているとき（無線通信ＩＦ１４が有効）には点灯し、有線となっているとき（有線通信ＩＦ１５が有効）には消灯する。これにより、ユーザは、通信経路が何れに設定されているかを認識することが
できる。
【００８５】
なお、電源／録画予約ランプ１３ａは、電源のＯＮ／ＯＦＦおよび録画に関する状態を示すためのランプである。具体的には、電源がＯＮになっているときには点灯し、ＯＦＦになっているときには消灯する。また、録画予約中であるときには、この状態を示す色で点灯する。この他、チューナー部１が待機状態にあるときには、この状態を示す色で点灯する。
【００８６】
無論、チューナー部１の接続経路を切り換えるためのインターフェイスは、この例に限られず、切り換えのユーザ操作を受け付けることのできる任意のインターフェイスを適用することが可能である。
【００８７】
〔ＵＩ画面の構成例〕
映像表示システム１００では、上記のような接続タイプの切換等を、ディスプレイ部２に表示させたＵＩ画面に従った操作をユーザに行わせることによって実現する。具体的には、図５のような構成でＵＩ画面を表示することを想定している。図５は、ＵＩ画面の構成例を示す図である。
【００８８】
図示のように、ＵＩ画面は階層構造で遷移するようになっており、最初のＵＩ画面として「ホームメニュー」が用意されている。この「ホームメニュー」から「視聴準備」のＵＩ画面に遷移することができ、「視聴準備」から「通信（インターネット）設定」に遷移することができる。
【００８９】
そして、「通信（インターネット）設定」のＵＩ画面には、「接続タイプ切換」、「ＬＡＮ設定」、「リンク設定」、および「チューナー無線接続設定」の項目が含まれている。
【００９０】
「接続タイプ切換」の項目を選択したときには、上述の３つの接続タイプから１つの接続タイプを選択するためのＵＩ画面が表示される。なお、システム上、接続タイプの切り換えを許容すべきでないときには、「接続タイプ切換」の項目は選択できないようにする。例えば、インターネット接続中に接続タイプを切り換えた場合には、インターネットへの接続が一時的に中断し、その後同じ状態から表示を再開することが難しい場合があるので、インターネット接続中には、「接続タイプ切換」の項目は選択できないようにする。また、録画時にはチューナー部１の処理の負荷が大きくなるため、録画中に接続タイプを切り換えた場合には、録画エラーが発生する可能性があるので、録画予約中、録画実行中には、「接続タイプ切換」の項目は選択できないようにする。
【００９１】
「ＬＡＮ設定」の項目を選択したときには、「無線アクセスポイント設定」、「ＩＰｖ４設定」、および「ＩＰｖ６設定」の何れかを選択するためのＵＩ画面が表示される。このうち、「無線アクセスポイント設定」は、接続タイプが無線アクセスポイント接続である場合のみ使用されるものであるため、それ以外の接続タイプが適用されているときには選択できないようにする。
【００９２】
「リンク設定」の項目を選択したときには、チューナー部１とディスプレイ部２とのリンク設定（ペアリング）を行う。本例では、「リンク設定」の項目を選択したときには、リンク設定が行われると共に、接続タイプがチューナー無線接続に設定される。これにより、誤った接続設定によってデジタル放送の視聴やインターネットへの接続ができなくなっている状態から復帰させることが容易になる。
【００９３】
なお、リンク設定は、映像表示システム１００の使用開始時に行う初期設定に含まれて
いる。つまり、この初期設定を行うことによって、チューナー部１とディスプレイ部２とのペアリングも行われる。上記「リンク設定」の項目は、初期設定完了後に、接続設定を変更する等によって、チューナー部１とディスプレイ部２とが通信不能となったときの使用を想定している。また、リンク設定は、なんらかの不具合などでペアリング情報が消失した場合、無線通信ＩＦ４２の部品交換が発生する等して、ペアリング情報の基となるＩＦのＭＡＣアドレスが変更された為に再ペアリングが必要となった場合、およびチューナー部１とディスプレイ部２とが複数組あり、接続する相手を変更したい場合等にも使用される。
【００９４】
「チューナー無線接続設定」の項目を選択したときには、チューナー無線接続における接続状態（チューナー部１とディスプレイ部２との接続状態）を確認するための「接続状態確認」およびチューナー無線接続における接続設定（チューナー部１とディスプレイ部２との接続設定）「接続設定」の何れかを選択するためのＵＩ画面が表示される。なお、これらは接続タイプがチューナー無線接続である場合のみ使用されるものであるため、それ以外の接続タイプが適用されているときには、「チューナー無線接続設定」の項目を選択できないようにする。
【００９５】
〔リンク設定〕
上記「リンク設定」におけるチューナー部１およびディスプレイ部２の処理について、図６および図７に基づいて説明する。図６は、「リンク設定」におけるチューナー部１およびディスプレイ部２の処理の一例を示すフローチャートであり、図７は、この処理の際に表示される画面例を示す図である。
【００９６】
「リンク設定」の項目を選択するユーザ操作をリモコン受光部４５が受け付けたときには、ディスプレイ側経路切換部５０は、図７（ａ）に示すような画面を表示部４４に表示して、本当にリンク設定を行うかユーザに確認する（Ｓ２０）。
【００９７】
図７（ａ）の例では、リンク設定を行うことによって行われる動作およびこれにより接続タイプがチューナー無線接続に切り換わることが表示されている。また、リンク設定の可否を選択するための選択肢「する」および「しない」が表示されている。
【００９８】
この画面から「しない」が選択された場合、「リンク設定」の処理を終了する。一方、「する」が選択されたときには、ディスプレイ側経路切換部５０は、チューナー部１の電源が入っているかをユーザに確認させるための、図７（ｂ）のような画面を表示部４４に表示する（Ｓ２１）。
【００９９】
図７（ｂ）の例では、この後ディスプレイ部２とチューナー部１との無線接続を開始する旨、チューナー部１の電源が入っている状態とする必要がある旨が表示されていると共に、次のステップに進むための選択項目として「次へ」が表示されている。
【０１００】
この「次へ」が選択されたときには、ディスプレイ側経路切換部５０は、チューナー部１のＬＩＮＫボタン１２ｂ（図４参照）を押すよう案内する（Ｓ２２）。具体的には、ディスプレイ側経路切換部５０は、図７（ｃ）のような画面を表示部４４に表示する。また、ディスプレイ側経路切換部５０は、ディスプレイ側接続処理部５２に、ペアリングを行うよう指示する。
【０１０１】
図７（ｃ）の例では、接続を開始するために必要なＬＩＮＫボタン１２ｂの操作方法が表示されている。また、接続の進捗状況を示すステータスバーが表示されている。この操作方法に従った入力操作が受け付けられると、チューナー側接続処理部２１は、ディスプレイ側接続処理部５２とのペアリングを開始する。
【０１０２】
この後、処理はＳ２３に進み、接続待ちの状態となる。Ｓ２３では、図７（ｃ）の画面は、ディスプレイ側接続処理部５２によって図７（ｄ）のような画面に更新される。図７（ｄ）では、接続中である旨の表示がなされていると共に、このステータスバーの表示が、接続の進捗状況に応じて更新されている。
【０１０３】
なお、ペアリングでは、互いのＭＡＣアドレスの交換、無線通信接続に使用する互いのアドレス（ネットワーク接続時に取得した固定ＩＰアドレス）の交換等が行われ、取得した情報は通信設定格納部３０および６０にそれぞれ格納される。そして、ペアリングが成功した場合には、無線通信接続を確立する。
【０１０４】
接続に成功した場合（Ｓ２３でＹＥＳ）、ディスプレイ側接続処理部５２は、接続完了をユーザに通知するため、図７（ｅ）のような画面を表示する。図７（ｅ）の例では、ディスプレイ部２とチューナー部１との無線接続が完了した旨が表示されていると共に、次のステップに進むための選択項目として「次へ」が表示されている。そして、この「次へ」が選択されたときには、リンク設定の処理を終了する。なお、リンク設定の処理の終了後、次の設定項目に移行してもよい。
【０１０５】
一方、接続に失敗した場合（Ｓ２３でＮＯ）、接続失敗の原因に応じた表示を行う。すなわち、所定時間（例えば２分）経過しても接続が開始されない場合、ディスプレイ側接続処理部５２は、チューナー部１の電源が切れている、またはＬＩＮＫモードに入っていないと判断する（Ｓ２４）。そして、図７（ｆ）のような画面を表示して、これをユーザに通知する。
【０１０６】
図７（ｆ）の例では、接続に失敗した旨、およびチューナー部１の電源がＯＮになっていることの確認を求める旨が表示されている。また、再設定を開始するための選択項目として「再設定」が表示されている。この「再設定」が選択されることにより、処理はＳ２１に戻る。
【０１０７】
また、所定時間以内に接続は開始されたが、完了せずに中断してしまった場合には、ディスプレイ側接続処理部５２は、電波状態の悪化または干渉が生じたと判断し（Ｓ２５）、図７（ｇ）のような画面を表示して、これをユーザに通知する。
【０１０８】
図７（ｇ）の例では、接続に失敗した旨、およびチューナー部１とディスプレイ部２とを近付けることを求める旨が表示されている。また、再設定を開始するための選択項目として「再設定」が表示されている。この「再設定」が選択されることにより、処理はＳ２１に戻る。なお、この場合、チューナー部１の電源はＯＮになっていると考えられるため、Ｓ２２に戻るようにしてもよい。
【０１０９】
また、２基（２基以上であってもよい）のＷＰＳ（Wi-Fi Protected Setup）が同時に
実行された場合、ディスプレイ側接続処理部５２は、接続失敗と判断し（Ｓ２６）、図７（ｈ）のような画面を表示して、ユーザに再設定を促す。
【０１１０】
図７（ｈ）の例では、接続に失敗した旨、および時間を空けて再設定することを求める旨が表示されている。また、再設定を開始するための選択項目として「再設定」が表示されている。この「再設定」が選択されることにより、処理はＳ２１に戻る。なお、この場合、チューナー部１の電源はＯＮになっていると考えられるため、Ｓ２２に戻るようにしてもよい。
【０１１１】
〔接続タイプの切り換え（チューナー無線接続）〕
続いて、接続タイプをチューナー無線接続に切り換える際のチューナー部１およびディスプレイ部２の処理について、図８および図９に基づいて説明する。図８は、接続タイプをチューナー無線接続に切り換える際の、チューナー部１およびディスプレイ部２の処理の一例を示すフローチャートであり、図９は、この処理の際に表示される画面例を示す図である。
【０１１２】
図５において、「接続タイプ切換」が選択されたときには、ディスプレイ側経路切換部５０は、例えば図９（ａ）のような画面を表示して、ユーザに接続タイプを選択させる（Ｓ３０）。ここでは、チューナー無線接続が選択されるとする。
【０１１３】
図９（ａ）の例では、接続タイプを切り換える旨、現在適用されている接続タイプ、選択候補となる各接続タイプの概要を示す図、およびその説明が表示されている。また、各接続タイプの概要を示す図には、その接続タイプを選択するためのカーソルが表示されている。
【０１１４】
この画面からチューナー無線接続が選択されると、ディスプレイ側経路切換部５０は、図９（ｂ）のような画面を表示して、本当に切り換えを行うか確認する（Ｓ３１）。
【０１１５】
図９（ｂ）の例では、接続タイプをチューナー無線接続に切り換える旨、チューナー無線接続の概要を示す図、チューナー無線接続への切り換え可否を問い合わせるメッセージ、およびチューナー無線接続に切り換える際の注意事項が表示されている。また、チューナー無線接続への切り換えの実行可否を選択するための選択肢として「する」および「しない」が表示されている。ここで、「しない」が選択された場合には、チューナー無線接続への切り換えを行わずに処理を終了する。
【０１１６】
一方、「する」が選択された場合には、ディスプレイ側経路切換部５０は、通信経路を「無線」に切り換える（Ｓ３２）。具体的には、無線通信ＩＦ４２を介した通信を有効にし、無線通信ＩＦ４３を介した通信を無効にする。また、ディスプレイ側接続処理部５２にチューナー部１との無線接続を開始するよう指示する。
【０１１７】
続いて、ディスプレイ側経路切換部５０は、チューナー部１の経路を「無線」に切り換えさせるため、図９（ｃ）のような画面を表示する（Ｓ３３）。図９（ｃ）の例では、チューナー部１における経路を「無線」に切り換えるための操作の手順、およびチューナー部１における経路が「無線」となっているときにはＷＩＲＥＬＥＳＳランプ１３ｂ（図４参照）の点灯状態となる旨が表示されている。また、次のステップに進むための選択項目として「次へ」が表示されている。
【０１１８】
「無線」に切り換えるための操作が行われると、チューナー側経路切換部２０は、無線通信ＩＦ１４を介した通信を有効にし、有線通信ＩＦ１５を介した通信を無効にする。また、チューナー側接続処理部２１にディスプレイ部２との無線接続を開始するよう指示する。なお、ここでは既にペアリング済みであるから、通信設定格納部３０および６０からそれぞれ読み出した通信設定に従って、チューナー側接続処理部２１とディスプレイ側接続処理部５２が無線接続を開始する。
【０１１９】
そして、上記の「次へ」が選択されると、ディスプレイ側経路切換部５０は、接続待ち状態となり（Ｓ３４）、図９（ｄ）のような画面を表示する。図９（ｄ）の例では、チューナー部１における経路を「無線」に切り換えるための操作の手順、チューナー部１における経路が「無線」となっているときにはＷＩＲＥＬＥＳＳランプ１３ｂが点灯状態となる旨、および現在接続中である旨が表示されている。
【０１２０】
Ｓ３４で接続に成功した場合、Ｓ３５に進んで接続成功の表示を行う。ここで表示される画面は、例えば図９（ｅ）のようなものであってもよい。図９（ｅ）の例では、チューナー無線接続でチューナー部１と接続した旨が表示されている。また、接続タイプ切換を終了するための選択項目である「終了」が表示されており、この項目を選択することによって、接続タイプ切換の処理は終了してＳ３０に戻り、図９（ａ）の画面が表示されている状態に戻る。
【０１２１】
一方、Ｓ３４で接続に失敗した場合、Ｓ３６に進んで接続失敗の表示を行う。ここで表示される画面は、例えば図９（ｆ）のようなものであってもよい。図９（ｆ）の例では、接続に失敗した旨が表示されていると共に、この問題を解決するための対応が表示されている。また、接続タイプ切換を終了するための選択項目である「終了」が表示されており、この項目を選択することによって、接続タイプ切換の処理は終了してＳ３０に戻り、図９（ａ）の画面が表示されている状態に戻る。
【０１２２】
なお、チューナー無線接続に失敗した場合、ディスプレイ部２は無線通信でチューナー部１に接続する設定となっており、ルーター３や無線アクセスポイント４に対して接続する設定とはなっていない。このため、この場合には、デジタル放送の視聴もインターネット接続もできない状態となる。
【０１２３】
〔接続タイプの切り換え（無線アクセスポイント接続）〕
続いて、接続タイプを無線アクセスポイント接続に切り換える際のチューナー部１およびディスプレイ部２の処理について、図１０から図１２に基づいて説明する。図１０は、接続タイプを無線アクセスポイント接続に切り換える際の、チューナー部１およびディスプレイ部２の処理の一例を示すフローチャートであり、図１１〜図１３は、この処理の際に表示される画面例を示す図である。
【０１２４】
無線アクセスポイント接続への切り換えは、図８の例と同様に、図１１（ａ）のような画面を表示して、ユーザに接続タイプを選択させることによって開始する（Ｓ４０）。この画面は、図９（ａ）と同様であるから説明を省略する。ここでは、無線アクセスポイント接続が選択されるとする。
【０１２５】
そして、無線アクセスポイント接続が選択されると、ディスプレイ側経路切換部５０は、図１１（ｂ）のような画面を表示して、本当に切り換えを行うか確認する（Ｓ４１）。なお、図１１（ｂ）は、切換先が無線アクセスポイント接続となっている以外は、図９（ｂ）と同様であるから説明を省略する。
【０１２６】
図１１（ｂ）の画面において、「しない」が選択された場合には、チューナー無線接続への切り換えを行わずに処理を終了する。一方、「する」が選択された場合には、ディスプレイ側経路切換部５０は、無線ＡＰ（アクセスポイント）のラストメモリがあるか確認する（Ｓ４２）。具体的には、ディスプレイ記憶部４１の通信設定格納部６０に、前回無線アクセスポイント４に接続したときの通信設定が格納されているか確認する。
【０１２７】
ここで、ラストメモリの存在が確認された場合（Ｓ４２でＹＥＳ）、ディスプレイ側経路切換部５０は、図１１（ｃ）のような画面を表示して、前回と同じ無線アクセスポイントに接続するかユーザに確認する。
【０１２８】
図１１（ｃ）の例では、前回使用した無線アクセスポイントに接続することの可否を問い合わせるメッセージと共に、この可否を選択するための選択肢として「する」および「しない」が表示されている。また、前回使用した無線アクセスポイントを特定するための情報（ＳＳＩＤ、セキュリティタイプ、およびセキュリティキー）が表示されている。
【０１２９】
上記の画面で「する」が選択された場合、ディスプレイ側経路切換部５０は、前回使用した無線アクセスポイントに接続するよう、ディスプレイ側接続処理部５２に指示する。これにより、無線アクセスポイントへの接続待ち状態となる（Ｓ４５）。
【０１３０】
一方、上記の画面で「しない」が選択された場合、またはＳ４２でラストメモリの存在が確認できなかった場合（Ｓ４２でＮＯ）には、ディスプレイ部２が無線アクセスポイントに接続する方法を選択させるため、図１１（ｄ）のような画面を表示する。
【０１３１】
図１１（ｄ）の例では、ＷＰＳ対応の無線アクセスポイントを選択するための「ＷＰＳ」、接続先無線アクセスポイントを所定の候補の中から選択するための「アクセスポイント選択」、および接続先無線アクセスポイントを手動で設定するための「アクセスポイント登録」の３つの選択肢が表示されている。
【０１３２】
ここで、「ＷＰＳ」が選択されたときには、ディスプレイ側接続処理部５２は、ＷＰＳ対応の無線アクセスポイントとＷＰＳによる接続を開始する。これにより、処理はＳ４５に進む。
【０１３３】
一方、「アクセスポイント選択」が選択されたときには、ディスプレイ側経路切換部５０は、選択候補の無線アクセスポイントを一覧表示し、ディスプレイ側接続処理部５２は、その中から選択された無線アクセスポイントとの接続を開始する。これにより、処理はＳ４５に進む。
【０１３４】
なお、選択された無線アクセスポイントが、セキュリティ設定のなされていない無線アクセスポイントであった場合、図１３（ａ）に示すような画面を表示する。図１３（ａ）の例では、セキュリティ設定のなされていない無線アクセスポイントが選択された旨、このような無線アクセスポイントを選択した場合にはチューナー部１と接続することができない旨が表示されている。また、この無線アクセスポイントに接続することの可否を確認するメッセージと、この可否を選択するための選択肢である「する」および「しない」が表示されている。この画面で「する」が選択された場合にはＳ４５の処理に進み、「しない」が選択された場合には無線アクセスポイントの選択候補の一覧画面に戻る。
【０１３５】
また、「アクセスポイント登録」が選択されたときには、ディスプレイ側経路切換部５０は、アクセスポイント登録用の画面を表示して、接続先の無線アクセスポイントをユーザに登録させる。そして、ディスプレイ側接続処理部５２は、登録された無線アクセスポイントとの接続を開始する。これにより、処理はＳ４５に進む。
【０１３６】
なお、無線アクセスポイントの手動登録の際には、図１３（ｂ）のような画面を表示して、登録する無線アクセスポイントのセキュリティタイプを入力させる。図１３（ｂ）の例では、セキュリティタイプの入力を促すメッセージと共に、入力するセキュリティタイプの選択候補として「ＷＥＰ」、「ＷＰＡ」、「ＷＰＡ２」、および「なし」が表示されている。また、セキュリティ設定のなされていない無線アクセスポイントと接続した場合にはチューナー部１と接続することができない旨が表示されている。
【０１３７】
Ｓ４５で接続に失敗した場合、図１１（ｅ）のような画面を表示して、接続に失敗した旨をユーザに通知すると共に、再設定を行うか終了するかをユーザに選択させる（Ｓ４６）。図１１（ｅ）の例では、接続に失敗した旨、この問題の対処策が表示されていると共に、再設定を行うか終了するかをユーザに選択させるための項目として「再設定」および「終了」が表示されている。この画面で「再設定」が選択された場合にはＳ４４に戻り、「終了」が選択された場合にはＳ４０に戻る。
【０１３８】
一方、Ｓ４５で接続に成功した場合、図１２（ａ）のような画面を表示して、接続に成功した旨をユーザに通知する（Ｓ４７）。無線アクセスポイント４への接続が成功したことにより、ディスプレイ部２はＬＡＮに接続された状態となる。ただし、この段階ではチューナー部１との接続は完了していない。
【０１３９】
図１２（ａ）の例では、接続に成功した旨が表示されていると共に、接続先の無線アクセスポイント特定する情報（ＳＳＩＤ、セキュリティタイプ、セキュリティキー）が表示されている。また、次のステップに進むための選択項目として「次へ」が表示されている。
【０１４０】
上記の画面で「次へ」が選択されると、ディスプレイ側経路切換部５０は、チューナー部１の経路を「ＬＡＮ端子」に切り換えさせるため、図１２（ｂ）のような画面を表示する（Ｓ４８）。図１２（ｂ）の例では、チューナー部１の経路を「ＬＡＮ端子」に切り換えるための操作の手順、およびチューナー部１の経路が「ＬＡＮ端子」となっているときにはＷＩＲＥＬＥＳＳランプ１３ｂ（図４参照）が消灯状態となる旨が表示されている。また、次のステップに進むための選択項目として「次へ」が表示されている。
【０１４１】
「ＬＡＮ端子」に切り換えるための操作が行われると、チューナー側経路切換部２０は、有線通信ＩＦ１５を介した通信を有効にする。また、チューナー側接続処理部２１にディスプレイ部２との接続を開始するよう指示する。
【０１４２】
そして、上記の「次へ」が選択されると接続待ち状態となり（Ｓ４９）、図１２（ｃ）のような画面を表示する。図１２（ｃ）の例では、チューナー部１の経路を「ＬＡＮ端子」に切り換えるための操作の手順、チューナー部１の経路が「ＬＡＮ端子」となっているとき（有線通信ＩＦ１５が有効となっているとき）にはＷＩＲＥＬＥＳＳランプ１３ｂが消灯状態となる旨、および現在接続中である旨が表示されている。有線通信ＩＦ１５が有効となることにより、チューナー部１とディスプレイ部２との通信経路がつながるので、チューナー側接続処理部２１とディスプレイ側接続処理部５２は、この通信経路で通信を行って、通信接続を確立する。
【０１４３】
また、図１０には示していないが、上記の「次へ」が選択されたときには、ディスプレイ部２とチューナー部１との接続待ちのタイムアウトカウントを開始する。なお、図１２（ｃ）の画像表示中に接続が確立した場合には、「次へ」が選択されるのを待たずにＳ５０へ移行する。
【０１４４】
Ｓ４９で接続に成功した場合、Ｓ５０に進んで接続成功の表示を行う。ここで表示される画面は、例えば図１２（ｄ）のようなものであってもよい。図１２（ｄ）の例では、無線アクセスポイント接続でチューナー部１と接続した旨が表示されている。また、接続タイプ切換を終了するための選択項目である「終了」が表示されており、この項目を選択することによって、接続タイプ切換の処理は終了してＳ４０に戻り、図１１（ａ）の画面が表示されている状態に戻る。
【０１４５】
一方、Ｓ４９で接続に失敗した場合、Ｓ５１に進んで接続失敗の表示を行う。ここで表示される画面は、例えば図１２（ｅ）のようなものであってもよい。図１２（ｅ）の例では、接続に失敗した旨が表示されていると共に、この問題を解決するための対応が表示されている。また、接続タイプ切換を終了するための選択項目である「終了」が表示されており、この項目を選択することによって、接続タイプ切換の処理は終了してＳ４０に戻り、図１１（ａ）の画面が表示されている状態に戻る。
【０１４６】
〔接続タイプの切り換え（ＬＡＮケーブル接続）〕
続いて、接続タイプを無線アクセスポイント接続に切り換える際のチューナー部１およびディスプレイ部２の処理について、図１４および図１５に基づいて説明する。図１４は、接続タイプをＬＡＮケーブル接続に切り換える際の、チューナー部１およびディスプレイ部２の処理の一例を示すフローチャートであり、図１５は、この処理の際に表示される画面例を示す図である。
【０１４７】
ＬＡＮケーブル接続への切り換えは、図１５（ａ）のような画面を表示して、ユーザに接続タイプを選択させることによって開始する（Ｓ６０）。この画面は、図９（ａ）、図１１（ａ）と同様であるから説明を省略する。ここでは、ＬＡＮケーブル接続が選択されるとする。
【０１４８】
ＬＡＮケーブル接続が選択されると、ディスプレイ部２にＬＡＮケーブルが挿入されているか確認する（Ｓ６１）。具体的には、ディスプレイ側経路切換部５０は、有線通信ＩＦ４３にＬＡＮケーブルが接続されているか確認する。
【０１４９】
ここで、ＬＡＮケーブルの接続が確認できなかった場合（Ｓ６１でＮＯ）、ＬＡＮケーブルの接続を促すため、図１５（ｂ）のような画像の表示を行う（Ｓ６２）。図１５（ｂ）の例では、ＬＡＮケーブルが接続されていない旨、およびＬＡＮケーブルの接続を促すメッセージが表示されている。また、前のステップに戻るための選択項目として「戻る」が表示されており、この項目を選択することによって処理はＳ６１に戻る。
【０１５０】
Ｓ６１でＬＡＮケーブルの挿入が確認できた場合（Ｓ６１でＹＥＳ）、ディスプレイ側経路切換部５０は、図１５（ｃ）のような画面を表示して、本当に切り換えを行うか確認する（Ｓ６３）。なお、図１５（ｃ）は、切換先がＬＡＮケーブル接続となっている以外は、図９（ｂ）および図１１（ｂ）と同様であるから説明を省略する。
【０１５１】
図１５（ｃ）の画面において、「しない」が選択された場合には、ＬＡＮケーブル接続への切り換えを行わずに処理を終了する。一方、「する」が選択された場合には、ディスプレイ側経路切換部５０は、通信経路を「ＬＡＮ端子」に切り換える（Ｓ６４）。具体的には、無線通信ＩＦ４２を介した通信を無効にし、無線通信ＩＦ４３を介した通信を有効にする。また、ディスプレイ側接続処理部５２にチューナー部１との有線接続を開始するよう指示する。
【０１５２】
続いて、ディスプレイ側経路切換部５０は、チューナー部１の経路を「ＬＡＮ端子」に切り換えさせるため、図１５（ｄ）のような画面を表示する（Ｓ６５）。なお、図１５（ｄ）は、図１２（ｂ）と同じであるから説明を省略する。
【０１５３】
そして、チューナー部１の経路を「ＬＡＮ端子」に切り換えるための操作が行われると、チューナー側経路切換部２０は、有線通信ＩＦ１５を介した通信を有効にする。また、チューナー側接続処理部２１にディスプレイ部２との有線接続を開始するよう指示する。
【０１５４】
これにより、ディスプレイ部２とチューナー部１との間で接続切換処理が行われる（Ｓ６６）。接続切換処理中には、図１５（ｅ）のような画面を表示する。なお、図１５（ｅ）は、図１２（ｃ）と同様であるから説明を省略する。接続切換処理の詳細については後述する。
【０１５５】
次に、ディスプレイ側経路切換部５０は、接続切換処理によって接続に成功したか否かを確認する（Ｓ６７）。ここで、接続に成功していることを確認した場合（Ｓ６７でＹＥＳ）、Ｓ６８に進んで接続成功の表示を行う。ここで表示される画面は、例えば図１５（
ｆ）のようなものであってもよい。図１５（ｆ）の例では、ＬＡＮケーブル接続でチューナー部１と接続した旨が表示されている。また、接続タイプ切換を終了するための選択項目である「終了」が表示されており、この項目を選択することによって、接続タイプ切換の処理は終了してＳ６０に戻り、図１５（ａ）の画面が表示されている状態に戻る。
【０１５６】
一方、接続に失敗していることを確認した場合（Ｓ６７でＮＯ）、Ｓ６９に進んで接続失敗の表示を行う。ここで表示される画面は、例えば図１５（ｇ）のようなものであってもよい。図１５（ｇ）の例では、接続に失敗した旨が表示されていると共に、この問題を解決するための対応が表示されている。また、接続タイプ切換を終了するための選択項目である「終了」が表示されており、この項目を選択することによって、接続タイプ切換の処理は終了してＳ６０に戻り、図１５（ａ）の画面が表示されている状態に戻る。
【０１５７】
〔接続切換処理の詳細〕
続いて、図１４のＳ６６で行われる接続切換処理について、図１６に基づいて説明する。図１６は、チューナー部１およびディスプレイ部２が実行する接続切換処理の一例を示すフローチャートである。なお、以下では先にディスプレイ部２における処理を説明し、その後チューナー部１における処理を説明する。
【０１５８】
（ディスプレイ部２における処理）
まず、ディスプレイ側接続処理部５２は、サーチを実行する。具体的には、ＩＤ付きの機器検索パケット（応答要求）を、有線通信ＩＦ４３を介して、ルーター３に接続されているローカル機器に対してブロードキャスト送信する（Ｓ７０、機器検出ステップ）。
【０１５９】
このＩＤは、チューナー無線接続のためのペアリング時に、チューナー部１から取得した情報に加え、ディスプレイ部２自身の情報に基づくものである。具体的には、ペアリング時に受信したチューナー部１のＭＡＣアドレス（相手装置特定情報）とディスプレイ部２のＭＡＣアドレスとを組み合わせたものを符号化して生成したＩＤ（チューナー部１のペアリングＩＤ）を用いる。
【０１６０】
なお、機器検索パケットと共に送信するＩＤは、チューナー部１との無線接続を確立する際に取得した情報であり、チューナー部１が、この情報が付された機器検索パケットを受信したときに、該機器検索パケットがチューナー部１宛であることを特定できる情報であればよい。例えば、チューナー部１のＭＡＣアドレスを上記ＩＤとして送信してもよいし、チューナー部１のＳＳＩＤ等を上記ＩＤとして送信してもよい。ただし、セキュリティの観点から、ＭＡＣアドレスやＳＳＩＤそのものを上記ＩＤとするよりは、これらのＩＤを符号化（または暗号化）したＩＤを用いることが好ましい。
【０１６１】
そして、ディスプレイ側接続処理部５２は、送信した機器検索パケットに対するＩＤ付きの応答を受信する（Ｓ７１）。上記のように、機器検索パケットには、ペアリングＩＤが付されているため、この機器検索パケットを受信した機器のうち、このペアリングＩＤを認識しているチューナー部１から応答が送信される。
【０１６２】
つまり、Ｓ７１で受信する応答は、チューナー部１からの応答であり、この応答に付されているＩＤはチューナー部１が付したＩＤである。このＩＤは、チューナー無線接続のためのペアリング時に、チューナー部１がディスプレイ部２から取得した情報に基づくものである。具体的には、ペアリング時に受信したディスプレイ部２のＭＡＣアドレスを符号化して生成したＩＤ（ディスプレイ部２のペアリングＩＤ）である。
【０１６３】
なお、応答と共に送信するＩＤは、ディスプレイ部２との無線接続時に取得した情報であり、ディスプレイ部２が、この情報が付された応答を受信したときに、該応答の送信元
がチューナー部１であることを特定できる情報であればよい。例えば、ディスプレイ部２のＭＡＣアドレスを上記ＩＤとしてもよいし、ディスプレイ部２のＳＳＩＤ等を上記ＩＤとしてもよい。ただし、セキュリティの観点から、ＭＡＣアドレスやＳＳＩＤそのものを上記ＩＤとするよりは、これらのＩＤを符号化（または暗号化）したＩＤを用いることが好ましい。
【０１６４】
上記のＩＤから、上記応答がチューナー部１からの応答であると確認したディスプレイ側接続処理部５２は、受信した応答のヘッダ等を解析することによって、チューナー部１との通信に必要な情報（ＩＰアドレス等）を取得する。そして、この情報をディスプレイ記憶部４１の通信設定格納部６０に格納すると共に、この情報を用いてチューナー部１にＬＡＮケーブルを介した通信接続の接続要求を送信する（Ｓ７２、通信接続ステップ）。
【０１６５】
この接続要求が受け入れられることによって、ディスプレイ部２とチューナー部１とのＬＡＮケーブルを介した通信接続（ＬＡＮケーブル接続）が確立される。これにより、ディスプレイ部２には、チューナー部１からＬＡＮケーブルを介して地上デジタル放送の映像を受信し、表示することが可能になる。
【０１６６】
（チューナー部１における処理）
チューナー側接続処理部２１は、機器検索パケットの受信を待ち受けている（Ｓ８０）。ここで、ＩＤ付きの機器検索パケットを受信する（Ｓ８１）と、受信したＩＤと、自機（チューナー部１）のＭＡＣアドレスとディスプレイ部２のＭＡＣアドレスとを組み合わせたものを符号化して生成したペアリングＩＤとが一致するか確認する。なお、受信したＩＤを復号し、これにより得られたデータにチューナー部１のＭＡＣアドレスが含まれているかを確認してもよい。いずれにせよ、符号化・複合化の方法については、チューナー部１とディスプレイ部２とで共通化しておく必要がある。
【０１６７】
上記のように、ディスプレイ部２が送信するＩＤは、チューナー部１のペアリングＩＤであるから、受信した機器検索パケットが、ディスプレイ部２からのものであれば、これらのペアリングＩＤは一致する（Ｓ８２）。
【０１６８】
ペアリングＩＤが一致した場合、チューナー側接続処理部２１は、受信した機器検索パケットに対する応答を送信し（Ｓ８３）、この応答を受信したディスプレイ部２から接続要求を受信する（Ｓ８４）。
【０１６９】
そして、チューナー側接続処理部２１は、受信した接続要求を解析することによって、この接続要求に異常がないか確認する（Ｓ８５）。ここで、異常がなければ（Ｓ８５でＹＥＳ）、受信した接続要求のヘッダ等からディスプレイ部２との通信に必要な情報（ＩＰアドレス等）を取得し、この情報をチューナー記憶部１１の通信設定格納部３０に格納する。これにより、ディスプレイ部２とチューナー部１とのＬＡＮケーブルを介した通信接続（ＬＡＮケーブル接続）が確立され（Ｓ８６）、接続切換処理は終了する。一方、接続要求に異常が見出された場合（Ｓ８５でＮＯ）、接続を終了して（Ｓ８７）、接続切換処理を終了する。
【０１７０】
〔接続切換処理の例〕
続いて、上記接続切換処理を図１７に基づいてさらに説明する。図１７は、接続切換処理の一例を示すタイミングチャートである。
【０１７１】
接続切換処理では、ディスプレイ部２は、サーチが必要と判断し、ＬＡＮに接続されている各機器（サーチ待ち受け状態となっているチューナー部１を含む）に対して、機器検索パケットをブロードキャスト送信する。この機器検索パケットには、チューナー部１の
ＭＡＣアドレスから生成したペアリングＩＤが付されている。
【０１７２】
上記機器検索パケットを受信したチューナー部１は、上記ペアリングＩＤから、この機器検索パケットが自機に宛てられたものであることを特定し、ディスプレイ部２に応答を送信する。この応答には、ディスプレイ部２のＭＡＣアドレスから生成したペアリングＩＤが付されている。
【０１７３】
この応答を受信したディスプレイ部２は、付されているペアリングＩＤから、この応答がチューナー部１から送信されたものであることを確認し、接続要求（connect）を、接
続待ち受け状態のチューナー部１に送信する。この接続要求を受信したチューナー部１は、受信した接続要求を解析して、送信元ＩＰアドレスを確認する。
【０１７４】
〔接続切換処理の要点〕
続いて、接続切換処理の要点を図１８に基づいて説明する。図１８は、接続切換処理の要点を説明する図である。
【０１７５】
図示のように、チューナー部１とディスプレイ部２とは、無線経路通信によって、相手の無線ＩＦ−ＩＤ（具体的にはペアリングＩＤ）を互いに取得する。そして、家庭内ネットワーク経路の通信（ＬＡＮケーブル接続）に切り換えられたときには、ディスプレイ部２は、無線ＩＦ−ＩＤを含む機器検索パケットを家庭内ネットワーク（ローカルネットワーク）にブロードキャスト送信する。
【０１７６】
この無線ＩＦ−ＩＤは、チューナー部１のＭＡＣアドレスに基づくペアリングＩＤであるから、チューナー部１は、この機器検索パケットが自分宛であると判断し、これに対する応答パケットを送信することができる。
【０１７７】
以上のように、映像表示システム１００における接続切換処理では、無線経路通信で取得された情報を用いて通信相手を特定するので、ＬＡＮに接続している機器の中から容易にチューナー部１を発見でき、接続の切り換えを極めて容易に行うことができる。
【０１７８】
特に、切り換え前の接続タイプでの通信が不能になっている場合（通信障害発生時、通信圏外にある時等）には、切り換え前に通信相手を特定しておいて、その後で切り換えることもできないので、上記の方式が有効である。
【０１７９】
〔接続タイプの自動切り換えについて〕
上述の例では、接続タイプを手動で切り替える場合（図３（ｂ）参照）の処理を説明したが、接続タイプを自動で切り替えても構わない（図３（ａ）参照）。自動切り換えを採用した場合、上述の例における、ＵＩ画面を表示してチューナー部１に対するユーザ操作を促す処理の代わりに、チューナー指示部５１からチューナー部１に命令を送信して、接続タイプを切り換えさせる処理を行う。
【０１８０】
ところで、映像表示システム１００では、上記３通りの接続タイプの他にも、チューナー部１の無線通信ＩＦ１４を介してデジタル放送を視聴し、有線通信ＩＦ１５を介してインターネットを利用するといった利用態様が考えられる（他の利用態様１）。
【０１８１】
つまり、他の利用態様１では、デジタル放送の視聴時にはチューナー部１の無線通信ＩＦ１４を有効にし、インターネットの利用時には有線通信ＩＦ１５を有効にするという通信ＩＦの切り換えによって視聴対象を切り換える。
【０１８２】
また、映像表示システム１００は、アンテナ線接続と、ローカルネットワークへの接続
とを、同じ部屋で行うことができないような環境で使用されることも考えられる。このような場合には、デジタル放送の視聴時には、チューナー部１の無線通信ＩＦ１４を有効にし、チューナー部１のある部屋（アンテナ線接続ができる部屋）にディスプレイ部２を配置する。このときには、チューナー部１は、ルーター３と接続されておらず、有線通信ＩＦ１５にはＬＡＮケーブルは接続されていない。一方、インターネット利用時には、ルーター３のある部屋（ローカルネットワークに接続できる部屋）にディスプレイ部２を配置し、ルーター３とチューナー部１とを有線接続する。そして、チューナー部１の有線通信ＩＦ１５を有効にして、インターネットを利用する（他の利用態様２）。
【０１８３】
このように、上記の利用態様２では、デジタル放送の視聴時には、チューナー部１の有線通信ＩＦ１５にはＬＡＮケーブルは接続されていない。このため、他の利用態様２において、他の利用態様１においてインターネットの利用に切り換えるのと同様の感覚で、デジタル放送の視聴時に有線通信ＩＦ１５を有効にする切り換えを行うと、チューナー部１とディスプレイ部２との通信が途絶えてしまうという問題が生じる。ＬＡＮケーブルが接続されていない有線通信ＩＦ１５に切り換えた場合、有線通信ＩＦ１５を介した通信を行うこともできず、無線通信ＩＦ１４を介した通信を行うこともできないからである。特に、接続タイプの切り換えを自動切換のみで実装した場合には、チューナー部１に対するユーザ操作によって接続の復帰を図ることができないため問題が大きい。
【０１８４】
上記の問題点を解決する方策として、接続タイプの切り換えを自動切換で行う場合、切り換えの前に、チューナー部１と有線通信ＩＦ１５を介した通信の可否を確認し、この通信が不可である場合には、接続タイプの切り換えを中止することが考えられる。
【０１８５】
これについて、図１９に基づいて説明する。図１９は、ディスプレイ部２から接続タイプの切り換え指示を受信したチューナー部１が実行する処理の一例を示すフローチャートである。
【０１８６】
チューナー側経路切換部２０は、ディスプレイ部２のチューナー指示部５１から接続タイプの切換通知を受信すると（Ｓ９０）、ディスプレイ部２と有線ＬＡＮ接続することが可能であるか判断する（Ｓ９１）。つまり、チューナー側経路切換部２０は、通信可否判断手段として機能する。
【０１８７】
なお、接続タイプの切換通知は、有線通信ＩＦ１５を有効にすることを命令するものである。また、有線ＬＡＮ接続することが可能であるかは、例えば有線通信ＩＦ１５にＬＡＮケーブルが接続されているかによって判断してもよい。また、それに加えてディスプレイ部２との有線接続にトラブルがないかまで確認して判断してもよい。
【０１８８】
Ｓ９０において、有線ＬＡＮ接続することが可能であると判断した場合（Ｓ９０でＹＥＳ）、チューナー側経路切換部２０は、接続経路を有線通信ＩＦ１５に切り換える（Ｓ９２）。つまり、チューナー側経路切換部２０は、相手装置側経路切換手段としても機能する。これにより処理は終了する。
【０１８９】
一方、有線ＬＡＮ接続することができないと判断した場合（Ｓ９０でＮＯ）、チューナー側経路切換部２０は、接続経路の切り換えを中止し、その旨をディスプレイ部２に通知する。これにより処理は終了する。
【０１９０】
〔システムの判断による接続タイプの切り換え〕
上述の例の接続タイプの手動切換および自動切換は、何れもユーザの操作を起点として行われるが、ユーザの操作を起点とせず、映像表示システム１００の判断によって接続タイプを切り換えるようにしてもよい。
【０１９１】
これについて、図２０に基づいて説明する。図２０は、映像表示システム１００の判断による接続タイプの切り換えを説明する図であり、同図（ａ）は切り換え前の状態を示し、同図（ｂ）は切り換え後の状態を示している。
【０１９２】
同図（ａ）の状態では、ディスプレイ部２は、チューナー部１と無線接続されており、チューナー部１は、ディスプレイ部２にデジタル放送に基づく映像信号を送信すると共に、家庭内ネットワークのＬＡＮ−ＨＤＤにこのデジタル放送を録画している。
【０１９３】
このような状態では、チューナー部１のチューナー制御部１０は、放送波から映像信号を生成して送信する処理と、この映像信号を用いて録画を行う処理とを平行して行っており、その処理の負荷は非常に大きい。また、ＬＡＮ−ＨＤＤとディスプレイ部２との２箇所に出力を行っており、出力ＩＦの処理の負荷も大きい。
【０１９４】
そこで、このように負荷の大きい状態となったときには、チューナー側経路切換部２０は、ディスプレイ部２にその旨を通知する。なお、ディスプレイ部２への通知の内容は、それを受信したディスプレイ部２において、切り換えの要否の判断材料となるものであればよく、特に限定されない。例えば、チューナー制御部１０をＣＰＵで実装した場合には、ＣＰＵの使用率を示す情報を通知してもよいし、負荷が所定の閾値を超えていることを示す情報を通知してもよい。
【０１９５】
そして、この通知を受信したディスプレイ部２のディスプレイ側経路切換部５０は、他の接続タイプへの切り換えを行う。つまり、ディスプレイ側経路切換部５０は、経路切換手段として機能する。なお、ＣＰＵの使用率を示す情報等のように、負荷の程度を示す情報を受信した場合には、所定の閾値と比較する等して切り換えの要否を判断する。また、切り換えの可否を問い合わせるＵＩを表示して、切り換えの可否をユーザに選択させてもよい。
【０１９６】
切り換え対象となる接続タイプは、同図（ｂ）に示すように、無線アクセスポイント接続であってもよい。これにより、チューナー制御部１０は、ディスプレイ部２への映像信号送信処理から開放され、チューナー部１からの出力はＬＡＮ−ＨＤＤに対する出力のみとなるため、チューナー部１における処理の負荷が低減される。ユーザは、チューナー部１からのデジタル放送を見ることはできなくなるが、無線アクセスポイント接続により、インターネット上のコンテンツを閲覧することができる。
【０１９７】
なお、上記の切り換えを行った場合、ディスプレイ部２は、ＬＡＮ−ＨＤＤに録画されたデジタル放送を取得して表示してもよい。これにより、チューナー部１の負荷を低減しつつ、ユーザのデジタル放送視聴を継続させることもできる。
【０１９８】
また、図１９（ｂ）では、無線アクセスポイント接続に切り換える例を示したが、ＬＡＮケーブル接続が可能である場合には、ＬＡＮケーブル接続に切り換えてもよい。
【０１９９】
〔変形例〕
上述では、無線接続確立時に取得した情報を用いて、有線接続における通信設定を容易にする例を示したが、有線接続確立時に取得した情報を用いて、無線接続における通信設定を容易にすることも同様に可能である。例えば、有線接続確立時にＳＳＩＤ、ＰＩＮコード、無線通信に用いるＭＡＣアドレスなどを交換しておき、無線接続に切り換えられたときに、これらの情報を用いて通信設定を行うこともできる。
【０２００】
また、無線通信経路が複数存在するようなシステムの場合、ある経路の無線接続確立時
に取得した情報を用いて、他の経路の無線接続における通信設定を容易にすることも可能である。有線通信経路が複数存在するようなシステムの場合も同様である。
【０２０１】
さらに、上述では、ＬＡＮケーブル接続への切り換え時に、無線接続確立時に取得した情報を用いて通信設定を容易にする例を示したが、無線アクセスポイント接続への切り換え時に、無線接続確立時に取得した情報を用いて通信設定を容易にすることもできる。無線アクセスポイント接続においても、ＬＡＮに接続されているチューナー部１を検出する必要があるからである（図１０のＳ４７〜Ｓ４９）。
【０２０２】
また、上述では、機器検索パケットをブロードキャスト送信してチューナー部１を検出したが、機器検索パケットのブロードキャスト送信を行わずに通信接続を開始することも可能である。例えば、ＲＡＲＰ（Reverse Address Resolution Protocol）を用いる方法
や、応答があるまで通信開始を投げ続ける方法が考えられる。
【０２０３】
〔ＩＰｖ４設定〕
次に、図５に示した「ＩＰｖ４設定」について、図２１に基づいて説明する。図２１は、ディスプレイ部２とチューナー部１のＩＰアドレスなどのネットワークパラメータを設定するＩＰｖ４設定時に表示される画面例を示す図である。
【０２０４】
「ＩＰｖ４設定」の項目を選択するユーザ操作をリモコン受光部４５が受け付けたときには、図２１（ａ）のような画面を表示する。図２１（ａ）の例では、ＬＡＮの設定（ＩＰｖ４）を行う旨、現在の設定、および設定を変更する際の注意事項が表示されている。また、選択肢として「変更する」「変更しない」「初期化する」の３つが表示されている。なお、同図の破線内は、チューナー部１と接続しており、かつ接続タイプが無線アクセスポイント接続またはＬＡＮケーブル接続のときのみ表示する。
【０２０５】
上記の「変更する」を選択した場合、図２１（ｂ）のような画面を表示する。図２１（ｂ）の例では、ＩＰアドレスを自動で取得するか否かを確認するメッセージと、自動で取得するか否かを選択するための「はい」「いいえ」の選択肢が表示されている。また、この画面では、ディスプレイ部２のＩＰアドレス、チューナー部１のＩＰアドレス、ネットマスク、およびゲートウェイを入力できるようになっている。そして、次の画面へ遷移するための「次へ」の項目が表示されている。なお、同図の破線内は、チューナー部１と接続しており、かつ接続タイプが無線アクセスポイント接続またはＬＡＮケーブル接続のときのみ設定可能とする。
【０２０６】
なお、上記の「次へ」が選択されたときには、入力されている設定が正しいか確認が行われ、チューナー部１の設定が正しくないと判断されたときには、図２１（ｃ）のような画面を表示する。図２１（ｃ）の例では、設定が誤っており、再設定が必要である旨のメッセージと、図２１（ｂ）の画面に戻るための「戻る」の項目が表示されている。
【０２０７】
正しい設定が行われた状態で「次へ」が選択されたときには、図２１（ｄ）のような画面を表示する。図２１（ｄ）の例では、ＤＮＳのＰアドレスを自動で取得するか否かを確認するメッセージと、自動で取得するか否かを選択するための「はい」「いいえ」の選択肢が表示されている。また、この画面では、プライマリＩＰアドレスおよびセカンダリＩＰアドレスを入力できるようになっている。そして、次の画面へ遷移するための「次へ」の項目が表示されている。
【０２０８】
この画面で「次へ」が選択されると、図２１（ｅ）のような画面を表示する。図２１（ｅ）の例では、上述の設定画面で設定された内容が一覧表示されている。また、設定を完了するための「完了」と、表示されている設定で接続テストを実行するための「テスト実
行」が表示されている。
【０２０９】
〔画面表示設定〕
次に、ディスプレイ部２における画面表示設定について、図２２に基づいて説明する。図２２は、ＵＩ画面における、画面表示設定の位置づけを示す図である。図示のように、「画面表示設定」は、「ホームメニュー」から「機能切換」に遷移することで選択可能になる。そして、「画面表示設定」のＵＩ画面から、「無線受信強度表示」または「無線エラーメッセージ表示」のＵＩ画面に遷移することができる。
【０２１０】
「無線受信強度表示」のＵＩ画面では、無線受信強度を示すアイコンの表示を「する」「しない」の何れかを選択するようになっている。初期設定では、表示する設定としておいてもよい。なお、無線通信を行わない接続タイプ（ＬＡＮケーブル接続）が選択されているときには、このＵＩ画面における設定にかかわらず、無線受信強度を示すアイコンは表示しない。
【０２１１】
「無線エラーメッセージ表示」のＵＩ画面では、無線に関するエラーメッセージおよび警告メッセージの表示を「する」「しない」の何れかを選択するようになっている。初期設定では、表示する設定としておいてもよい。なお、エラーメッセージおよび警告メッセージの表示については、以下で詳細に説明する。
【０２１２】
〔物理的接続切れに関するメッセージ表示〕
接続タイプが無線アクセスポイント接続であるが、無線アクセスポイントに接続していない場合には、デジタル放送視聴・インターネット利用の何れも不可となる。接続タイプがＬＡＮケーブル接続であるが、ディスプレイ部２にＬＡＮケーブルを接続していない場合も同様である。このため、このような場合には、接続が回復するまで警告メッセージを表示し続ける。
【０２１３】
これについて、図２３および図２４に基づいて説明する。図２３は、無線アクセスポイント接続時における物理的接続切れの警告メッセージ表示処理の一例を示すフローチャートである。また、図２４は、ＬＡＮケーブル接続時における物理的接続切れの警告メッセージ表示処理の一例を示すフローチャートである。
【０２１４】
図２３に示すように、接続タイプが無線アクセスポイント接続となっているときには（Ｓ１００）、ディスプレイ制御部４０は、無線アクセスポイント４に接続しているか確認する（Ｓ１０１）。
【０２１５】
ここで、接続していることが確認された場合（Ｓ１０１でＹＥＳ）、正常状態であると判断する（Ｓ１０２）。この場合、警告は表示しない。一方、接続していないことが確認された場合（Ｓ１０１でＮＯ）、図示のような警告メッセージを、例えば画面中央下部に表示する（Ｓ１０３）。
【０２１６】
また、図２４に示すように、接続タイプがＬＡＮケーブル接続となっているときには（Ｓ１１０）、ディスプレイ制御部４０は、ＬＡＮケーブルが接続されているか確認する（Ｓ１１１）。
【０２１７】
ここで、接続されていることが確認された場合（Ｓ１１１でＹＥＳ）、正常状態であると判断する（Ｓ１１２）。この場合、警告は表示しない。一方、接続されていないことが確認された場合（Ｓ１１１でＮＯ）、図示のような警告メッセージを、例えば画面中央下部に表示する（Ｓ１１３）。
【０２１８】
〔チューナー部１との接続切れに関するメッセージ表示〕
上記のような物理的接続切れに該当しないが、チューナー部１との接続が切れた場合にも、メッセージを表示する。これについて、図２５に基づいて説明する。図２５は、チューナー部１との接続切れに関するメッセージ表示処理の一例を示すフローチャートである。
【０２１９】
ディスプレイ制御部４０は、接続切れの発生を検出すると（Ｓ１２０）、図示のようなメッセージを例えば画面中央下部に表示して、接続切れの発生をユーザに通知する（Ｓ１２１）。
【０２２０】
また、ディスプレイ制御部４０は、接続切れの発生を検出したときに接続切れの継続時間のカウントを開始し、３０秒以内に接続が復帰したか確認する（Ｓ１２２）。なお、この３０秒の時間は一例であり、これに限られない。ここで、３０秒以内に接続の復帰が確認された場合（Ｓ１２２でＹＥＳ）、正常状態に戻ったと判断し（Ｓ１２６）、接続切れの発生を通知する表示を終了する。
【０２２１】
一方、３０秒以内に接続の復帰が確認されなかった場合（Ｓ１２２でＮＯ）、接続タイプに応じた図示のようなメッセージを、例えば画面中央に表示する（Ｓ１２３〜Ｓ１２５）。すなわち、チューナー無線接続時には、同図のＳ１２３の下側に示すようなメッセージを表示し、無線アクセスポイント接続時には、同図のＳ１２４の下側に示すようなメッセージを表示する。また、ＬＡＮケーブル接続時には、同図のＳ１２５の下側に示すようなメッセージを表示する。
【０２２２】
なお、上記メッセージにおける「ネットワーク環境をご確認ください」は、ＩＰアドレスなどの設定値の確認、およびＬＡＮケーブルなどの接続や各機器の電源の確認を促す趣旨である。
【０２２３】
〔干渉に関するメッセージ表示〕
また、無線通信に干渉が発生した場合にもメッセージを表示する。これについて図２６に基づいて説明する。図２６は、干渉発生に関するメッセージ表示処理の一例を示すフローチャートである。
【０２２４】
ディスプレイ制御部４０は、干渉の発生を検出すると（Ｓ１３０）、無線エラーメッセージを表示するか否かを判断する（Ｓ１３１）。表示しない設定となっている場合、または表示する設定となっているが、他の条件によって表示が不要と判断した場合には、メッセージを表示せずに処理を終了する。
【０２２５】
一方、Ｓ１３１で表示すると判断した場合には、図示のような干渉の発生時用のメッセージを表示する（Ｓ１３２）。このメッセージにおける「いいえ」が選択されたときには、Ｓ１３４に進み、電源再起動までは、干渉を検出してもコーション（Ｓ１３２のメッセージ）を表示しないこととする。一方、「はい」が選択されたときには、Ｓ１３３に進み、接続チャンネルの自動切換えを行う。
【０２２６】
接続チャンネルの自動切換えでは、ディスプレイ側接続処理部５２が、別の接続チャンネルによるチューナー部１との再接続を行い、ディスプレイ制御部４０は、図示のようなメッセージを表示する（Ｓ１３５）。
【０２２７】
次に、ディスプレイ制御部４０は、２分以内に再接続に成功したか確認し（Ｓ１３６）、成功している場合（Ｓ１３６でＹＥＳ）には処理を終了する。一方、２分が経過しても再接続に成功していない場合（Ｓ１３６でＮＯ）、同図に示すようなメッセージを表示す
る（Ｓ１３７）。
【０２２８】
〔スループット低下に関するメッセージ表示〕
また、無線通信のスループットが低下した場合にもメッセージを表示する。これについて図２７に基づいて説明する。図２７は、スループット低下に関するメッセージ表示処理の一例を示すフローチャートである。
【０２２９】
ディスプレイ制御部４０は、スループットの低下を検出すると（Ｓ１４０）、無線エラーメッセージを表示するか否かを判断する（Ｓ１４１）。表示しない設定となっている場合、または表示する設定となっているが、他の条件によって表示が不要と判断した場合には、メッセージを表示せずに処理を終了する。
【０２３０】
一方、Ｓ１４１で表示すると判断した場合には、図示のようなスループット低下時用のメッセージを表示する（Ｓ１４２）。このメッセージの表示後、一定時間が経過すると、スループットが復帰したか確認する（Ｓ１４３）。
【０２３１】
スループットが復帰している場合（Ｓ１４３でＹＥＳ）には、コーション（Ｓ１４３のメッセージ）の表示を消去して、処理を終了する。一方、スループットが復帰していない場合（Ｓ１４３でＮＯ）、処理はＳ１４１に戻り、メッセージを継続して表示する。
【０２３２】
〔無線受信強度低下に関するメッセージ表示〕
また、無線通信の受信強度が低下した場合にもメッセージを表示する。これについて図２８に基づいて説明する。図２８は、無線通信の受信強度低下に関するメッセージ表示処理の一例を示すフローチャートである。
【０２３３】
ディスプレイ制御部４０は、無線受信強度の低下を検出すると（Ｓ１５０）、無線エラーメッセージを表示するか否かを判断する（Ｓ１５１）。表示しない設定となっている場合、または表示する設定となっているが、他の条件によって表示が不要と判断した場合には、メッセージを表示せずに処理を終了する。
【０２３４】
一方、Ｓ１５１で表示すると判断した場合には、現在の接続タイプがチューナー無線接続であれば、Ｓ１５２に進み、図示のようなメッセージを表示する。一方、現在の接続タイプが無線アクセスポイント接続であれば、Ｓ１５３に進み、図示のようなメッセージを表示する。
【０２３５】
これら何れかのメッセージの表示後、一定時間が経過すると、無線受信強度が復帰したか確認する（Ｓ１５４）。そして、無線受信強度が復帰している場合（Ｓ１５４でＹＥＳ）には、コーション（Ｓ１５２またはＳ１５３のメッセージ）の表示を消去して、処理を終了する。一方、無線受信強度が復帰していない場合（Ｓ１５４でＮＯ）、処理はＳ１５１に戻る。
【０２３６】
〔レーダー波検出に関するメッセージ表示〕
また、レーダー波を検出した場合にもメッセージを表示する。これについて図２９に基づいて説明する。図２９は、レーダー波検出に関するメッセージ表示処理の一例を示すフローチャートである。
【０２３７】
ディスプレイ制御部４０は、レーダー波を検出すると、ディスプレイ側接続処理部５２に指示してＷ５２への退避を行わせ（Ｓ１６０）、Ｓ１６１に進み、図示のようなメッセージを表示する。また、ディスプレイ側接続処理部５２に指示して、別の接続チャンネルによるチューナー部１との再接続を行わせる。
【０２３８】
ディスプレイ制御部４０は、メッセージの表示後、一定時間が経過すると、接続が復帰したか確認する（Ｓ１６２）。接続が復帰していなければ、Ｓ１６４に進み、図示のようなメッセージを表示する。
【０２３９】
一方、接続が復帰していれば、Ｓ１６３に進み、図示のようなメッセージを表示する。そして、このメッセージにおける「確認」が選択されたか、または選択されずに１０秒が経過したかを確認する（Ｓ１６５）。「確認」が選択されたか、または選択されずに１０秒が経過したことが確認された場合（Ｓ１６５でＹＥＳ）、Ｓ１６３のメッセージの表示を消去して、処理を終了する。
【０２４０】
〔コーションの表示条件〕
以上のようなコーション（警告メッセージ等）の表示は、このようなメッセージを表示するか否かの設定に基づいて行われる。しかし、メッセージを表示する設定であり、メッセージを表示する条件が充足されている場合であっても、適用されている接続タイプ等によっては、メッセージを表示しないことが好ましい場合もある。
【０２４１】
そこで、ディスプレイ制御部４０は、図３０のようなテーブルに従って、メッセージの表示の可否を確認する。図３０は、メッセージの表示可否を決定するテーブルの一例を示す図である。
【０２４２】
図３０のテーブルでは、接続タイプごとに上述のメッセージの表示の可否が記述されており、これに従ってメッセージの表示の可否を判断することによって、接続タイプに応じた適切なメッセージのみを表示させることができる。
【０２４３】
〔その他のメッセージ〕
ディスプレイ制御部４０は、上述した以外にも様々なメッセージを表示させる。例えば、図３１に示すようなメッセージを表示する。図３１は、ディスプレイ部２に表示されるメッセージの一例を示す図である。
【０２４４】
同図（ａ）のメッセージは、接続タイプが無線アクセスポイント接続であり、セキュリティが設定されていない無線アクセスポイントに接続している場合に、「テレビを見る」で、地上デジタル放送（あるいはＢＳ・ＣＳデジタル放送等であってもよい）を選択したときか、「録画番組を見る」を選択したときに表示する。また、同図（ｂ）には、接続タイプ切換が原因で録画エラーが発生したときに表示するメッセージの例を示している。
【０２４５】
〔他のシステムへの適用例〕
上記では、チューナー部１およびディスプレイ部２を含む映像表示システム１００を例に本発明の説明を行ったが、本発明は、複数の通信経路で通信する機器からなるシステムであれば適用が可能であり、この例に限られない。
【０２４６】
ここでは、本発明を他のシステムに適用した例を図３２に基づいて説明する。図３２は、本発明を適用した監視システム２００および映像表示システム３００の概要を説明する図である。
【０２４７】
監視システム２００は、ＰＣ２０１と監視カメラ２０２とを含む。ＰＣ２０１と監視カメラ２０２とは、有線ＬＡＮで接続可能な構成であり、有線ＬＡＮで接続された状態において、監視カメラ２０２が撮影中の画像をＰＣ２０１から出力する。また、ＰＣ２０１と監視カメラ２０２とは、無線通信することも可能である。この無線通信は、例えばＷｉ−Ｆｉ等であってもよい。
【０２４８】
なお、ここでは、監視カメラ２０２の撮影画像の出力先がＰＣ２０１（パーソナルコンピュータ）である例を説明するが、出力先はパーソナルコンピュータに限られない。例えば、テレビやスマートフォン等の画像を表示する機能を有する装置であってもよいし、ＨＤＤレコーダー等の画像を記録する装置であってもよい。また、ここでは監視カメラ２０２を例に説明を行うが、カメラは監視を目的とするものに限られない。
【０２４９】
一方、映像表示システム３００は、ＮＡＳ３０１とタブレット端末３０２とを含む。ＮＡＳ３０１とタブレット端末３０２とは、ＰＬＣ（Power Line Communications）で接続
可能な構成であり、ＰＬＣ接続された状態において、ＮＡＳ３０１に格納された動画等のコンテンツをタブレット端末３０２から出力する。また、ＮＡＳ３０１とタブレット端末３０２とは、無線通信することも可能である。この無線通信は、例えばＷｉ−Ｆｉ等であってもよい。
【０２５０】
なお、ここでは、タブレット端末３０２に表示させる画像を出力する装置がＮＡＳ２０１（Network Attached Storage）である例を説明するが、出力元の装置はタブレット端末３０２が表示可能な画像を出力するものであればよく、例えばＰＣ等であってもよい。また、出力するデータも画像に限られず、音声等であってもよい。さらに、ここでは画像を出力する機器がタブレット端末３０２である例を説明するが、画像を出力する機能を有している機器であればこれに限られない。
【０２５１】
図３２に示すこれらのシステムでは、図示のように、まず、システムに含まれる機器間で無線によるペアリングを行う。このペアリングにより、互いのＭＡＣアドレスの交換、無線通信接続に使用する互いのアドレス（ネットワーク接続時に取得した固定ＩＰアドレス）の交換等が行われる。
【０２５２】
これにより、上述の映像表示システム１００と同様にして、有線ＬＡＮネットワークまたはＰＬＣネットワークに接続された相手機器を容易に検出し、接続することができる。
【０２５３】
具体的には、図示の例では、監視カメラ２０２を屋外に設置し、屋外の有線ＬＡＮコネクタに接続している。また、ＰＣ２０１は屋内の一階に設置し、屋内の有線ＬＡＮコネクタに接続している。なお、これらの機器は、無線通信によって画像の送受信を行うことも可能であるが、屋内と屋外という離れた位置に設置されているため、無線での通信が困難であり、それゆえ有線ＬＡＮで接続している。無論、有線接続は、有線ＬＡＮによるものに限られず、ＰＬＣ等を利用してもよい。
【０２５４】
この状態において、ＰＣ２０１または監視カメラ２０２の何れかが、ペアリングの際に取得した相手機器のＭＡＣアドレスあるいはペアリングＩＤを含む機器検索パケットを有線ＬＡＮネットワークに接続されている各機器にブロードキャスト送信する。
【０２５５】
これにより、機器検索パケットを受信した機器のうち、この機器検索パケットに含まれるＭＡＣアドレスあるいはペアリングＩＤを認識しているＰＣ２０１または監視カメラ２０２から応答が送信され、ＰＣ２０１と監視カメラ２０２との間での有線ＬＡＮ接続が確立される。
【０２５６】
また、図示の例では、ＮＡＳ３０１を一階に設置し、コンセントからＰＬＣに接続している。また、タブレット端末３０２は、二階に設置し、コンセントからＰＬＣに接続している。なお、これらの機器は、無線通信によって画像の送受信を行うことも可能であるが、鉄筋住宅内の別フロアに設置されているため、無線での通信が困難であり、それゆえＰＬＣでの接続を行っている。無論、有線接続は、ＰＬＣによるものに限られず、有線ＬＡ
Ｎ等を利用してもよい。
【０２５７】
映像表示システム３００における双方の機器がＰＬＣに接続した後の処理は、上述の監視システム２００の場合と同様であり、ＭＡＣアドレス等により相手機器を認識してＰＬＣを介した通信接続を確立する。
【０２５８】
以上説明したように、監視システム２００および映像表示システム３００によれば、無線ペアリング時に取得したＭＡＣアドレス等の情報を利用して、有線ネットワークにおいて相手機器を検出するので、有線接続を極めて容易に確立することができる。
【０２５９】
なお、上述の各例におけるペアリングには、例えばＡＯＳＳ（AirStation One-Touch Secure System、登録商標）等を利用してもよい。この場合には、ＡＯＳＳを利用したペアリングで取得した情報を利用して機器検出を行えばよい。
【０２６０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０２６１】
最後に、チューナー部１およびディスプレイ部２の各ブロック、特にチューナー制御部１０およびディスプレイ制御部４０は、集積回路（ＩＣチップ）上に形成された論理回路によってハードウェア的に実現してもよいし、ＣＰＵ（Central Processing Unit）を用
いてソフトウェア的に実現してもよい。
【０２６２】
後者の場合、チューナー部１およびディスプレイ部２は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるチューナー部１およびディスプレイ部２の制御プログラムのプログラムコード（実行形式プログラム、中間コードプログラム、ソースプログラム）をコンピュータで読み取り可能に記録した記録媒体を、チューナー部１およびディスプレイ部２に供給し、そのコンピュータ（またはＣＰＵやＭＰＵ）が記録媒体に記録されているプログラムコードを読み出し実行することによっても、達成可能である。
【０２６３】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０２６４】
また、チューナー部１およびディスプレイ部２を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信
網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような
赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living NetworkAlliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０２６５】
本発明は、複数の通信経路で通信する機器に利用することができる。
【符号の説明】
【０２６６】
１    チューナー部（相手装置）
２    ディスプレイ部（通信装置）
２０    チューナー側経路切換部（通信可否判断手段、相手装置側経路切換手段）
５０    ディスプレイ側経路切換部（経路切換手段）
５１    チューナー指示部（相手装置制御手段）
５２    ディスプレイ側接続処理部（機器検出手段、通信接続手段）
１００  映像表示システム（通信システム）
（ａ）  通信経路（第１通信経路）
（ｃ）  通信経路（第２通信経路）
【図１】
2013062786.tif 000003
【図２】
2013062786.tif 000004
【図３】
2013062786.tif 000005
【図４】
2013062786.tif 000006
【図５】
2013062786.tif 000007
【図６】
2013062786.tif 000008
【図７】
2013062786.tif 000009
【図８】
2013062786.tif 000010
【図９】
2013062786.tif 000011
【図１０】
2013062786.tif 000012
【図１１】
2013062786.tif 000013
【図１２】
2013062786.tif 000014
【図１３】
2013062786.tif 000015
【図１４】
2013062786.tif 000016
【図１５】
2013062786.tif 000017
【図１６】
2013062786.tif 000018
【図１７】
2013062786.tif 000019
【図１８】
2013062786.tif 000020
【図１９】
2013062786.tif 000021
【図２０】
2013062786.tif 000022
【図２１】
2013062786.tif 000023
【図２２】
2013062786.tif 000024
【図２３】
2013062786.tif 000025
【図２４】
2013062786.tif 000026
【図２５】
2013062786.tif 000027
【図２６】
2013062786.tif 000028
【図２７】
2013062786.tif 000029
【図２８】
2013062786.tif 000030
【図２９】
2013062786.tif 000031
【図３０】
2013062786.tif 000032
【図３１】
2013062786.tif 000033
【図３２】
2013062786.tif 000034
【手続補正書】
【提出日】平成24年7月20日(2012.7.20)
【手続補正１】
【補正対象書類名】特許請求の範囲
【補正対象項目名】全文
【補正方法】変更
【補正の内容】
【特許請求の範囲】
【請求項１】
第１通信経路と第２通信経路との何れかで相手装置と通信する通信装置であって、
上記第２通信経路を介した通信への切り換えを行うときに、上記第１通信経路を用いた通信の確立のために取得した、上記相手装置を特定する相手装置特定情報を用いて上記相手装置を検出する機器検出手段と、
上記機器検出手段が検出した上記相手装置と、上記第２通信経路で通信接続する通信接続手段とを備えており、
上記第１通信経路は、無線通信による通信経路であり、
上記相手装置特定情報は、上記相手装置と無線通信を行うためのペアリング時に取得した情報であることを特徴とする通信装置。
【請求項２】
上記通信接続手段は、上記機器検出手段が検出した上記相手装置から、該相手装置が上記ペアリング時に取得した情報、または該情報を元に生成した情報を受信したことが確認された場合に、当該相手装置と上記第２通信経路で通信接続することを特徴とする請求項１に記載の通信装置。
【請求項３】
第１通信経路と第２通信経路との何れかで相手装置と通信する通信装置であって、
上記第２通信経路を介した通信への切り換えを行うときに、上記第１通信経路を用いた通信の確立のために取得した、上記相手装置を特定する相手装置特定情報を用いて上記相手装置を検出する機器検出手段と、
上記機器検出手段が検出した上記相手装置と、上記第２通信経路で通信接続する通信接続手段とを備えており、
上記第２通信経路は、通信ネットワークを介する通信経路であり、
上記機器検出手段は、上記相手装置特定情報、または該相手装置特定情報を元に生成した情報を含む応答要求を上記通信ネットワーク内の機器にブロードキャスト送信することによって、上記相手装置を検出することを特徴とする通信装置。
【請求項４】
第１通信経路と第２通信経路との何れかで相手装置と通信する通信装置であって、
上記第２通信経路を介した通信への切り換えを行うときに、上記第１通信経路を用いた通信の確立のために取得した、上記相手装置を特定する相手装置特定情報を用いて上記相手装置を検出する機器検出手段と、
上記機器検出手段が検出した上記相手装置と、上記第２通信経路で通信接続する通信接続手段とを備えており、
上記第１通信経路は、上記相手装置と直接に通信する通信経路であり、
上記第１通信経路を介して上記相手装置と通信接続されている状態において、上記相手装置から、該相手装置の処理の負荷が高いことを示す情報を受信したときに、上記第２通信経路への切り換えを行う経路切換手段を更に備えていることを特徴とする通信装置。
【請求項５】
請求項１から４の何れか１項に記載の通信装置と、
該通信装置と、上記第１通信経路と上記第２通信経路との何れかで通信する相手装置とを含むことを特徴とする通信システム。
【請求項６】
上記通信装置は、上記相手装置の通信経路を上記第１通信経路から上記第２通信経路に切り換えさせる相手装置制御手段を備え、
上記相手装置は、上記相手装置制御手段から、上記第２通信経路への切り換え命令を受信したときに、上記第２通信経路で上記通信装置と通信可能か判断する通信可否判断手段と、該通信可否判断手段が通信可能と判断した場合に上記第２通信経路への切り換えを行う相手装置側経路切換手段とを備えていることを特徴とする請求項５に記載の通信システム。
【請求項７】
第１通信経路と第２通信経路との何れかで相手装置と通信する通信装置による通信方法であって、
上記第２通信経路を介した通信への切り換えを行うときに、上記第１通信経路を用いた通信の確立のために取得した、上記相手装置を特定する相手装置特定情報を用いて上記相手装置を検出する機器検出ステップと、
上記機器検出ステップで検出した上記相手装置と、上記第２通信経路で通信接続する通信接続ステップとを含んでおり、
上記第１通信経路は、無線通信による通信経路であり、
上記相手装置特定情報は、上記相手装置と無線通信を行うためのペアリング時に取得した情報であることを特徴とする通信方法。
【請求項８】
第１通信経路と第２通信経路との何れかで相手装置と通信する通信装置による通信方法であって、
上記第２通信経路を介した通信への切り換えを行うときに、上記第１通信経路を用いた通信の確立のために取得した、上記相手装置を特定する相手装置特定情報を用いて上記相手装置を検出する機器検出ステップと、
上記機器検出ステップで検出した上記相手装置と、上記第２通信経路で通信接続する通信接続ステップとを含んでおり、
上記第２通信経路は、通信ネットワークを介する通信経路であり、
上記機器検出ステップでは、上記相手装置特定情報、または該相手装置特定情報を元に生成した情報を含む応答要求を上記通信ネットワーク内の機器にブロードキャスト送信することによって、上記相手装置を検出することを特徴とする通信方法。
【請求項９】
第１通信経路と第２通信経路との何れかで相手装置と通信する通信装置による通信方法であって、
上記第２通信経路を介した通信への切り換えを行うときに、上記第１通信経路を用いた通信の確立のために取得した、上記相手装置を特定する相手装置特定情報を用いて上記相手装置を検出する機器検出ステップと、
上記機器検出ステップで検出した上記相手装置と、上記第２通信経路で通信接続する通信接続ステップとを含んでおり、
上記第１通信経路は、上記相手装置と直接に通信する通信経路であり、
上記第１通信経路を介して上記相手装置と通信接続されている状態において、上記相手装置から、該相手装置の処理の負荷が高いことを示す情報を受信したときに、上記第２通信経路への切り換えを行う経路切換ステップを更に含んでいることを特徴とする通信方法。
【請求項１０】
請求項１から４の何れか１項に記載の通信装置を動作させるための制御プログラムであって、コンピュータを上記各手段として機能させるための制御プログラム。
【請求項１１】
請求項６に記載の相手装置を動作させるための制御プログラムであって、コンピュータを上記通信可否判断手段および上記相手装置側経路切換手段として機能させるための制御プログラム。
【請求項１２】
請求項１０または１１に記載の制御プログラムを記録したコンピュータ読み取り可能な記録媒体。
【請求項１３】
放送波を映像信号に変換するチューナー部と、第１通信経路と第２通信経路との何れかで、上記チューナー部と通信し、上記映像信号に基づいて表示を行うディスプレイ部とを含むテレビジョン受像システムであって、
上記ディスプレイ部は、上記第２通信経路を介した通信への切り換えを行うときに、上記第１通信経路を用いた通信の確立のために取得した、上記チューナー部を特定する相手装置特定情報を用いて上記チューナー部を検出する機器検出手段と、上記機器検出手段が検出した上記チューナー部と、上記第２通信経路で通信接続する通信接続手段とを備えており、
上記第１通信経路は、無線通信による通信経路であり、
上記相手装置特定情報は、上記チューナー部と無線通信を行うためのペアリング時に取得した情報であることを特徴とするテレビジョン受像システム。
【請求項１４】
放送波を映像信号に変換するチューナー部と、第１通信経路と第２通信経路との何れかで、上記チューナー部と通信し、上記映像信号に基づいて表示を行うディスプレイ部とを含むテレビジョン受像システムであって、
上記ディスプレイ部は、上記第２通信経路を介した通信への切り換えを行うときに、上記第１通信経路を用いた通信の確立のために取得した、上記チューナー部を特定する相手装置特定情報を用いて上記チューナー部を検出する機器検出手段と、上記機器検出手段が検出した上記チューナー部と、上記第２通信経路で通信接続する通信接続手段とを備えており、
上記第２通信経路は、通信ネットワークを介する通信経路であり、
上記機器検出手段は、上記相手装置特定情報、または該相手装置特定情報を元に生成した情報を含む応答要求を上記通信ネットワーク内の機器にブロードキャスト送信することによって、上記チューナー部を検出することを特徴とするテレビジョン受像システム。
【請求項１５】
放送波を映像信号に変換するチューナー部と、第１通信経路と第２通信経路との何れかで、上記チューナー部と通信し、上記映像信号に基づいて表示を行うディスプレイ部とを含むテレビジョン受像システムであって、
上記ディスプレイ部は、上記第２通信経路を介した通信への切り換えを行うときに、上記第１通信経路を用いた通信の確立のために取得した、上記チューナー部を特定する相手装置特定情報を用いて上記チューナー部を検出する機器検出手段と、上記機器検出手段が検出した上記チューナー部と、上記第２通信経路で通信接続する通信接続手段とを備えており、
上記第１通信経路は、上記チューナー部と直接に通信する通信経路であり、
上記第１通信経路を介して上記チューナー部と通信接続されている状態において、上記チューナー部から、該チューナー部の処理の負荷が高いことを示す情報を受信したときに、上記第２通信経路への切り換えを行う経路切換手段を備えていることを特徴とするテレビジョン受像システム。